(57)【要約】  本発明は、成形可能な１つ又は複数の材料を成形するための成形装置に関する。装置は、第１の成形工具セットと、第２の成形工具セットを有する。第２の成形工具セットの各々の成形工具は、加圧成形ゾーンで協働する成形工具を成形するために、第１の成形工具セットの１つ以上の成形工具と協働するように構成され、又はその逆である。第１の成形工具セットが第１の回路の周りを移動することができる第１の成形工具セットの１つ又は複数のガイドがある。第２の成形工具セットが第２の回路の周りを移動することができる第２の成形工具セットの１つ又は複数のガイドもある。成形工具を機械方向に移動させるための駆動装置もある。少なくとも回路の部分で、加圧成形ゾーンの直前又は直後で、隣接する成形工具の相対運動のみが成形工具が協働する他方の成形工具セットの成形工具に向かうか又は成形工具から離れるように、１つの前記成形工具セットの隣接する成形工具が移動可能に支持される。
2009525889.tif 000002
【特許請求の範囲】
【請求項１】
成形可能な１つ又は複数の材料（「１つ又は複数の材料）」）を成形するための成形装置であって、
第１の鋳型セット又は成形工具（「第１の成形工具セット」）と、
第２の鋳型セット又は成形工具（「第２の成形工具セット」）であって、前記第２の成形工具セットの各々の鋳型又は工具（「成形工具」）が、加圧成形ゾーンで協働する成形工具を成形するために、前記第１の成形工具セットの１つ以上の鋳型又は工具（「成形工具」）と協働するように構成され、又はその逆である第２の鋳型セット又は成形工具と、
第１の成形工具セットの１つ又は複数のガイド（「第１の１つ又は複数のガイド」）であって、該ガイドを中心に、前記第１の成形工具セットが第１の回路を中心に移動されることができる第１の成形工具セットの１つ又は複数のガイドと、
第２の成形工具セットの１つ又は複数のガイド（「第２の１つ又は複数のガイド」）であって、該ガイドを中心に、前記第２の成形工具セットが第２の回路を中心に移動されることができる第２の成形工具セットの１つ又は複数のガイドと、
前記１つ又は複数のガイドを中心に前記成形工具セットの前記成形工具を機械方向に順次前進して移動させるための少なくとも１つの一次駆動装置（「第１の駆動装置」）と、を備えるか又は含み、
少なくとも前記回路の部分で、前記加圧成形ゾーンの直前又は直後（以下「リードゾーン」）で、前記隣接する成形工具の相対運動のみが前記成形工具が協働する前記他方の成形工具セットの成形工具に向かうか又は前記成形工具から離れる（以下、前記「運動」）ように、１つの前記成形工具セットの隣接する成形工具が移動可能に支持される、
成形装置。
【請求項２】
前記成形工具が前記機械方向に前進させられる前記加圧成形ゾーンにわたって、各々のセットの１つ以上について、協働する成形工具の一定の参照関係がある、請求項１に記載の成形装置。
【請求項３】
前記成形工具が前記機械方向に前進させられる前記加圧成形ゾーンにわたって、同一の成形工具セットの隣接する成形工具の一定の参照関係がある、請求項１又は２に記載の成形装置。
【請求項４】
前記リードゾーンの前記成形工具が、（成形工具から成形工具のギャップが前記材料を捕捉する可能性なしに）互いに対しさもなければ整列された条件で段階的に進むか又は後退する、請求項１〜３のいずれか１項に記載の成形装置。
【請求項５】
必要な整列及び前記運動を提供するために直交成分の移動がある可能性にも関わらず、前記リードゾーンで、別個の前記成形工具のすべてがその近傍と同一の速度成分で移動している、請求項１〜４のいずれか１項に記載の成形装置。
【請求項６】
前記運動が、前記機械方向に対し、前記加圧成形ゾーン（「リードインゾーン」）の前に行われる、請求項１〜５のいずれか１項に記載の成形装置。
【請求項７】
前記運動が、前記機械方向に対し、前記加圧成形ゾーン（「リードインゾーン」）の後に行われる、請求項１〜５のいずれか１項に記載の成形装置。
【請求項８】
前記リードゾーンで、両方の前記前記成形工具セットが、互いに向かって前記運動を経験するように移動可能に支持される、請求項１〜７のいずれか１項に記載の成形装置。
【請求項９】
前記成形工具セットの少なくとも１つのために、温度制御システムが提供される、請求項１〜８のいずれか１項に記載の成形装置。
【請求項１０】
前記温度制御システムが前記成形工具に関する温度を制御する、請求項９に記載の成形装置。
【請求項１１】
前記成形工具の各々が、前記１つ又は複数の温度制御システムによって、動作温度又は温度特性にさせられるか及び／又は前記動作温度又は前記温度特性に維持されることができる、請求項９又は１０に記載の成形装置。
【請求項１２】
少なくとも前記加圧成形ゾーンが前記１つ又は複数の温度制御システムによって温度制御される、請求項９又は１０に記載の成形装置。
【請求項１３】
前記温度制御システムが、前記温度を周囲温度の上又は下に上げるか及び／又は高めることができる、請求項９〜１２のいずれか１項に記載の成形装置。
【請求項１４】
前記成形工具の各々が、前記機械方向に対し横断方向の２つの軸線（「支持軸線」）に支持され、この結果、前記リードゾーンで、前記支持軸線の一方が他方の軸線と異なる前記ガイドの軌跡に従い、これによって、前記リードゾーンの隣接する成形工具が前記機械方向に対し同一の配向に保持されるか又は保持されないことを可能にする、請求項１〜１３のいずれか１項に記載の成形装置。
【請求項１５】
前記成形工具セットの１つが、回路の軸線が成形工具セットの他方の回路の回路軸線に対し９０°にある当該回路を中心に移動する、請求項１〜１３のいずれか１項に記載の成形装置。
【請求項１６】
前記支持軸線が、回転軸線又はガイド旋回軸線を介して前記ガイドのトラックで走る、請求項１４に記載の成形装置。
【請求項１７】
各々の前記成形工具セット用に少なくとも２つのガイドがある、請求項１〜１５のいずれか１項に記載の成形装置。
【請求項１８】
前記少なくとも２つのガイドの各々１つが、前記成形工具セットの前記成形工具のいずれかの側面に配置される、請求項１６に記載の成形装置。
【請求項１９】
前記成形工具セット及び前記成形工具セットのガイドの少なくとも一方が、前記加圧成形ゾーンの前記成形工具及び成形面の「開放」又は「閉鎖」を行うように、他方の成形工具セット及び他方の成形工具セットのガイドに対し移動されることができる（例えば、前記ガイドを支持するフレームの間の空気圧又は油圧システムの作用下で）、請求項１〜１７のいずれか１項に記載の成形装置。
【請求項２０】
前記ガイドが互いに位置ロックできる、請求項１〜１８のいずれか１項に記載の成形装置。
【請求項２１】
前記工具回路が不完全であり、このため、同一又は他の成形工具がそれぞれ前記リードインゾーンに入る前にあるかどうかに関わらず、前記成形工具が前記リードアウトゾーンを出て置き換えられるとき、前記成形工具を取り除いて置き換えることができる、請求項１〜１９のいずれか１項に記載の成形装置。
【請求項２２】
観測したとき、前記回路の少なくとも１つが実質的に楕円形状である、請求項１〜２０のいずれか１項に記載の成形装置。
【請求項２３】
前記楕円形状の平坦な領域が前記加圧成形ゾーンを提供する、請求項２１に記載の成形装置。
【請求項２４】
前記楕円形状の湾曲部が前記リードゾーンを提供する、請求項２１又は２２に記載の成形装置。
【請求項２５】
前記成形工具が、隣接する成形工具によって前記湾曲部を中心に付勢されることができ（前記機械方向に対し）、前記成形工具の１つ又は複数のガイドとの前記成形工具の関連付け以外によって、前記隣接する成形工具に連結されない、請求項２３に記載の成形装置。
【請求項２６】
前記ガイドの各々が、少なくとも前記リードゾーンに２つのトラックを有し、各々の前記成形工具の前記支持軸線の１つが前記２つのトラックの一方に従い、一方、前記支持軸線の他方が前記２つのトラックの他方に従う、請求項１５〜２４のいずれか１項に記載の成形装置。
【請求項２７】
前記第１の一次駆動装置が、前記１つ又は複数の第１のガイドを中心に前記第１の成形工具セットの前記成形工具を順次前進して移動させる、請求項１〜２６のいずれか１項に記載の成形装置。
【請求項２８】
前記１つ又は複数の第２のガイドを中心に前記第２の成形工具セットの前記成形工具を順次前進して移動させるための第２の前記一次駆動装置がある、請求項１〜２５のいずれか１項に記載の成形装置。
【請求項２９】
前記成形工具が、前記少なくとも１つの一次駆動装置によって新たに提示された各々の成形工具の順次係合によって前進させられ、次に、前記加圧成形ゾーンを通してかつ前記ガイドを中心に、蓄積された前記成形工具を付勢する、請求項１〜２５のいずれか１項に記載の成形装置。
【請求項３０】
前記一次駆動装置が、前記加圧成形ゾーンの直前の前記成形工具を駆動する、請求項２６又は２７に記載の成形装置。
【請求項３１】
各々の前記成形工具が個別に駆動される、請求項１〜２５のいずれか１項に記載の成形装置。
【請求項３２】
例えば前記ガイドと前記成形工具との間の摩擦を克服する際に、前記一次駆動装置を補助するための少なくとも１つの二次駆動装置がある、請求項１〜２６のいずれか１項に記載の成形装置。
【請求項３３】
前記少なくとも１つの二次駆動装置が、前記ガイドを介して成形工具を前記一次駆動装置に送る、請求項３１に記載の成形装置。
【請求項３４】
各々の前記成形工具が、動作温度に応じて寸法が変化する種類から成る、請求項１〜３２のいずれか１項に記載の成形装置。
【請求項３５】
前記回路の前記成形工具の全長が、前記成形工具の熱膨張を収容するために、合計の回路長さに等しいか又は小さい、請求項１〜３３のいずれか１項に記載の成形装置。
【請求項３６】
前記成形工具が実質的に一体設計である、請求項１〜３４のいずれか１項に記載の成形装置。
【請求項３７】
前記成形工具が、前記ガイド内又は上で動作する少なくとも１つの搬送工具と、前記対向面の少なくとも１つを提供するための少なくとも１つの表面工具との複合工具であり、前記表面工具が、前記表面工具によって支承されるべき前記搬送工具に又は前記搬送工具から装着される、請求項１〜３４のいずれか１項に記載の成形装置。
【請求項３８】
動作温度に上げられ又は下げられるときに、前記成形工具が本発明の目的にかなうことを可能にするために、前記ガイドの前記成形工具の装着部に十分な遊びがある、請求項１〜３６のいずれか１項に記載の成形装置。
【請求項３９】
前記成形工具が、隣接する及び／又は協働する成形工具に対し配置される強化領域を有する、請求項１〜３７のいずれか１項に記載の成形装置。
【請求項４０】
前記搬送工具への又は前記搬送工具からの前記表面工具の前記装着部が、前記表面工具が前記搬送工具に対し又はその逆に熱膨張することを可能にする装着部である、請求項３６〜３８のいずれか１項に記載の成形装置。
【請求項４１】
前記成形工具のすべてが同一の熱膨張特性を有する、請求項１〜３９のいずれか１項に記載の成形装置。
【請求項４２】
前記成形装置が、ある温度範囲にわたって前記回路を中心に前記成形工具を移動させることができる、請求項１〜４０のいずれか１項に記載の成形装置。
【請求項４３】
前記加圧成形ゾーンがプラットホーム状であるか又は整列された隣接する成形工具から成る、請求項１〜４１のいずれか１項に記載の成形装置。
【請求項４４】
一方のセットの成形工具が前記加圧成形ゾーンにわたって他方のセットの成形工具の上に下方に又は該他方のセットの成形工具に向かって進むように、前記第１及び第２の成形工具セット（「１つ又は複数の工具」）が平面で協働するように、前記装置が配置される、請求項１〜４２のいずれか１項に記載の成形装置。
【請求項４５】
前記加圧成形ゾーンが圧力下にある、請求項１〜４３のいずれか１項に記載の成形装置。
【請求項４６】
前記加圧成形ゾーンの前記成形工具を支承して、前記１つ又は複数の成形工具によって前記１つ又は複数の材料に印加される圧力を増大するために、別の前記ガイドが前記加圧成形ゾーンの一方の側面の少なくとも１つの圧力プレートとして存在する、請求項１〜４４のいずれか１項に記載の成形装置。
【請求項４７】
前記圧力プレートが前記成形工具の中央を支承する、請求項４５に記載の成形装置。
【請求項４８】
２つの前記圧力プレート、すなわち、前記成形工具セットの一方に作用する前記加圧成形ゾーンの上方の第１の圧力プレート、及び前記成形工具セットの他方に作用する前記加圧成形ゾーンの下方の第２の圧力プレートがある、請求項４５又は４６に記載の成形装置。
【請求項４９】
前記セットの隣接する成形工具が、少なくとも前記加圧成形ゾーンにわたって第１のロック手段によって互いにロックされる、請求項１〜２３のいずれか１項に記載の成形装置。
【請求項５０】
前記セットの協働する成形工具が、少なくとも前記加圧成形ゾーンにわたって第２のロック手段によって互いにロックされる、請求項１〜２３のいずれか１項に記載の成形装置。
【請求項５１】
前記第１のロック手段がピンとスロットとの係合による、請求項４８に記載の成形装置。
【請求項５２】
前記第２のロック手段がモールステーパ係合による、請求項４９に記載の成形装置。
【請求項５３】
（例えば射出成形等に関し）前記第１及び第２の成形工具セット（「１つ又は複数の工具」）が、水平又は垂直に対し考慮したときに前記セットが並んでいる加圧成形ゾーンにわたって互いにそれぞれのセットの成形工具を提示するようなものである、請求項１〜５１のいずれか１項に記載の成形装置。
【請求項５４】
材料を成形する方法であって、
ａ．成形可能な材料を空間（１つ又は複数の他の材料によって基質化され、間挿され及び／又は当該材料と関連付けられているか否かに関わらず）、（以下「材料」）に提示するステップであって、前記空間の対向面が前進方向に前進するとき、前記空間から前記材料が前記空間の対向面によって及び／又は前記対向面の間に支承されることができるステップと、
ｂ．前記対向面が前進するとき、加圧成形ゾーンを少なくとも一部形成する前記対向面の間の縮小空間の前記対向面の間の前記材料を加圧するステップであって、前記対向面の少なくとも１つの形状が前記材料内に形状化されて、前記材料に保持できるような時間まで、前記対向面の間の前記縮小空間が少なくとも実質的に一定に維持されるステップと、
ｃ．前記表面が前進するにつれて前記対向面の間の前記空間が増大するときに、前記対向面の間から今や形状化された材料を解放するステップと、を備えるか又は含み、
前記対向面の各々、又は少なくとも１つのこのような前記表面が、前記成形工具セットそれ自体の案内回路を中心に前進させられる成形工具セットの１つ以上の成形工具によって提供され、
前記成形工具が前記材料を加圧するか又は解放するためにゾーンに存在するとき、少なくとも前記成形工具が前記成形材料に接触する箇所で隣接する前記成形工具の間に好ましくはギャップがなく、また前記ゾーンにわたる前記成形工具セットの少なくとも１つの隣接する工具の間の相対運動が、前記他方の対向面の成形工具のみに向かう、
方法。
【請求項５５】
前記案内回路が環状である、請求項５４に記載の材料を成形する方法。
【請求項５６】
前記案内回路が前記成形工具の挿入及び取り除きを可能にするために遮られる、請求項５４に記載の材料を成形する方法。
【請求項５７】
前記成形工具の各々が、前記加圧成形ゾーンを通して駆動手段による前記成形工具の駆動作用によって少なくとも部分的に前進させられる、請求項５４〜５６に記載の材料を成形する方法。
【請求項５８】
前記駆動作用が、油圧式、電子式又はその他であるかに関わらず、モータを介する、請求項５７に記載の材料を成形する方法。
【請求項５９】
前記成形工具の各々が、前記ステップ（ｉｉ）の加圧が行われる前記加圧成形ゾーンを通して追随する成形工具による分岐によって少なくとも部分的に前進させられる、請求項５４〜５８に記載の材料を成形する方法。
【請求項６０】
前記ステップ（ｉｉ）の加圧が行われる前記加圧成形ゾーンで、前記成形工具の各々が、前記前進方向に対し横断方向の前記ガイドトラックの側面の各々の前記成形工具の２つの軸線に作用する前記回路の１つ以上のガイドトラックに支持され、これによって、配向に関する限り、前記成形工具を前記加圧成形ゾーンで再現可能に提示する、請求項５４〜５９に記載の材料を成形する方法。
【請求項６１】
前記案内回路で、１つ又は両方の一連の成形工具が、前記成形工具の１つのみ又は少数に対する直接の前記駆動作用下で前記案内回路の少なくとも一部にわたって押圧される各々の前記成形工具によって前記案内回路を中心に順次前進させられる、請求項５７〜６０のいずれか１項に記載の材料を成形する方法。
【請求項６２】
前記案内回路で、１つ又は両方の一連成形工具が、１つ以上のゾーンの各々の成形工具の各々の側面の前記ガイドトラックの軌跡差によって、加圧成形ゾーンを通して必要とされる隣接する成形工具の相互の状態から変更することが許容される、請求項５４〜６１のいずれか１項に記載の材料を成形する方法。
【請求項６３】
前記ステップ（ｉｉ）の加圧が行われる前記加圧成形ゾーンで、一連の成形工具が下向きに表面を提示し、一方、下にある一連の成形工具が上向きに表面を提示する、請求項５４〜６２のいずれか１項に記載の材料を成形する方法。
【請求項６４】
下にある一連の成形工具の成形工具が、前記ステップ（ｉｉ）の加圧が行われる前記加圧成形ゾーンにあるとき、各々下から支持される、請求項６３に記載の材料を成形する方法。
【請求項６５】
前記少なくとも一連の工具が、液晶ディスプレイ（「ＬＣＤ」）の形状を前記材料の少なくとも一方の側面に刻印するように形状化される、請求項５４〜６４のいずれか１項に記載の材料を成形する方法。
【請求項６６】
前記少なくとも一連の工具が、光電池の形状を刻印するように形状化される、請求項５４〜６４のいずれか１項に記載の材料を成形する方法。
【請求項６７】
前記少なくとも一連の工具が、テキストプロフィールのプロフィールを前記材料に刻印するように形状化される、請求項５４〜６４のいずれか１項に記載の材料を成形する方法。
【請求項６８】
前記材料が、成形可能であるか否かに関わらず、別の材料と共に導入される、請求項５４〜６７のいずれか１項に記載の材料を成形する方法。
【請求項６９】
前記材料がプラスチック材料である、請求項５４〜６７のいずれか１項に記載の材料を成形する方法。
【請求項７０】
前記材料が液体又は半液体形態で導入される、請求項５４〜６７のいずれか１項に記載の材料を成形する方法。
【請求項７１】
前記材料が押出形態で導入される、請求項５４〜６７のいずれか１項に記載の材料を成形する方法。
【請求項７２】
前記形状が前記材料の一方の側面に刻印される、請求項５４〜７１のいずれか１項に記載の材料を成形する方法。
【請求項７３】
前記形状が前記材料の両方の側面に刻印される、請求項５４〜７２のいずれか１項に記載の材料を成形する方法。
【請求項７４】
２連の前記成形工具の各々が、液晶ディスプレイ（「ＬＣＤ」）の形状を前記材料の両側に刻印するように形状化される、請求項７３に記載の材料を成形する方法。
【請求項７５】
前記成形工具が、前記１つ以上のガイドトラックで又は前記１つ以上のガイドトラックの上で動作する少なくとも１つの搬送工具と、前記対向面の少なくとも１つを提供するための少なくとも１つの表面工具との複合体であり、前記表面工具が、前記表面工具によって支承されるべき前記搬送工具に又は前記搬送工具から装着される、請求項５３〜７３のいずれか１項に記載の材料を成形する方法。
【請求項７６】
各々の成形工具、又は前記表面工具を搬送する前記搬送工具が、少なくとも２つの別個のフォロワセット、すなわち、前記工具が加圧成形ゾーンにある間のみ係合される一方のセットと、前記回路の残部を中心に前記工具を案内するためにその後に使用される別のセットとを有する、請求項７４に記載の材料を成形する方法。
【請求項７７】
前記材料が前記多数の加圧成形ゾーンの間でさらに処理される多数の前記加圧成形ゾーンがある、請求項５４〜７６のいずれか１項に記載の材料を成形する方法。
【請求項７８】
さらに１つ又は複数の材料が前記加圧成形ゾーンの間に又は前記加圧成形ゾーンに加えられる、請求項７７に記載の材料を成形する方法。
【請求項７９】
前記１つ又は複数の材料が、次の材料、すなわち、
ａ．溶融した成形可能な材料、
ｂ．熱成形可能な温度で提供される熱成形可能な材料、
ｃ．成形工具によって成形可能な状態に加熱される熱成形可能な材料、
ｄ．成形工具等によって冷却される熱成形可能な材料又は溶融した成形可能な材料、
ｅ．成形工具によって熱硬化される熱成形可能な材料、
ｆ．異なる特徴の１つ以上の材料を有する前述の材料の任意の材料、
の内の１つ以上を含むことができる、請求項５４〜７８のいずれか１項に記載の材料を成形する方法。
【請求項８０】
各々の前記成形工具セットが、前記加圧成形ゾーンの少なくとも一部で成形面を成形する、請求項５４〜７９のいずれか１項に記載の機械。
【請求項８１】
前記成形面の各々が、前記１つ又は複数の材料を成形するために協働する、請求項５４〜８０のいずれか１項に記載の材料を成形する方法。
【請求項８２】
前記対向面が、０．０ｋｇ／ｃｍ2〜２５０ｋｇ／ｃｍ2を前記対向面の間の材料に適用することができる、請求項５４〜８１のいずれか１項に記載の方法。
【請求項８３】
前記対向面が、０．０ｍ／分〜３００ｍ／分で前記機械方向を移動することができる、請求項５４〜８２のいずれか１項に記載の方法。
【請求項８４】
前記対向面が、１ミクロン〜１０メートルまでの前記材料内に組織を刻印することができる、請求項５４〜８３のいずれか１項に記載の方法。
【請求項８５】
請求項５４〜８４のいずれか１項に記載の方法によって成形された製品。
【請求項８６】
添付図の任意の１つ以上を参照して本発明に記載した成形装置。
【請求項８７】
添付図の任意の１つ以上を参照して本発明に記載した材料を成形する方法。
【請求項８８】
添付図の任意の１つ以上を参照して本発明に記載した１つ又は複数の方法による製品。
【発明の詳細な説明】
【技術分野】
【０００１】
本発明は、材料用の成形装置に関する。
【背景技術】
【０００２】
異なる種類の成形（絞り（深いか又は浅い）及び刻印のように圧力下のみにあるか、あるいは射出成形、ブロー成形、押出、真空成形、熱成形、加圧成形、圧縮成形（例えば、ゴム又は架橋可能な材料用）、材料押出と関連する真空成形、押出及び／又は真空成形と関連する熱成形、カレンダリングと後処理及び同様の成形工程のように圧力と温度下にあるかに関わらず）に関わる問題は、装置の能力、すなわち、
（ｉ）必要とされる公差を満たす能力、
（ｉｉ）障害なしに装置の運転条件に合わせられる能力、
（ｉｉｉ）破壊的干渉なしに１つ又は複数の運転温度で運転される能力、
（ｉｖ）望ましくない材料を捕捉するギャップを開き、次に閉じるトラックによる又は案内による移動により又はそれなしに、成形ゾーン（好ましくは加圧ゾーン）に移動される能力を確実にする必要性である。
【０００３】
本発明は、いくつかの観点でそれらの特徴（ｉ）〜（ｉｖ）のあるものに向けられる。
【０００４】
例えば、噛合又は協働する（ｃｏ−ａｃｔｉｎｇ）鋳型あるいは他の成形工具（「成形工具」）における問題は、成形ゾーン（以下「加圧成形ゾーン」）にわたる配向の望ましくないギャップ及び変化である。このことは、成形工具が圧力下で簡単に材料を受容する（例えば射出成形）か、又は圧力下で導入されない材料に圧力を印加する（例えば押出、次に熱成形）か、あるいはそれらの混成であるかどうかには関わらないが、これは、材料が隣接する成形工具の間に捕捉され、これによって、粗悪な製造及び過度の応力と１つ又は複数の圧力を生じさせることが予想されるからである。曲線を中心とする成形工具の任意の前進は、配向及び介入に影響を及ぼす。例えば、継続的又は連続的な鋳型ブロックを所定の位置に移動させる従来技術の方法（又は代替方法）が図３ａに示されている（例えば管成形キャタピラ（登録商標））。ブロックは、連続的なリンク機構、例えばコンベヤベルトチェーン等に取り付けられ、回路を中心に駆動される。ブロックが互いに出会うとき、ブロックが平行整列する前に、ニップ箇所（ｎｉｐ  ｐｏｉｎｔ）Ａが連続ブロックの間に形成される。このようなニップ箇所の存在は、理解できるように、完成品の問題及び接合線を生じる。
【０００５】
特許明細書、他の外部の文献、又は他の情報源が参照された本明細書では、一般に、本発明の特徴を説明するための前後関係を提供することが目的である。特に指摘しなければ、このような外部の文献に対する参照は、任意の権限におけるこのような文献又はこのような情報源が従来技術であるか、あるいは関連技術における共通の一般的な知識の部分を形成することを容認すると解釈されるべきでない。
【発明の開示】
【発明が解決しようとする課題】
【０００６】
いくつかの観点で、本発明は熱制御及び／又は汚損防止の特徴に向けられる。本発明の追加の又は代わりの目的は、協働する成形工具の間の加圧成形ゾーンにわたって必要な圧力を提供することによって、連続的に又は実質的に連続的に運転されることが可能な成形装置を提供すること、あるいは少なくとも有用な選択を一般社会に提供することである。
【課題を解決するための手段】
【０００７】
第１の形態では、本発明は、材料を成形する方法に広範囲に存在すると言うことができ、前記方法は、
（ｉ）成形可能な材料を空間（１つ又は複数の他の材料によって基質化され、間挿され及び／又は当該材料と関連付けられているか否かに関わらず）、（以下「材料」）に提示するステップであって、前記空間の対向面が前進方向に前進するとき、前記空間から前記材料が前記空間の対向面によって及び／又は前記対向面の間に支承されることができるステップと、
（ｉｉ）前記対向面が前進するとき、加圧成形ゾーンを少なくとも一部形成する前記対向面の間の縮小空間（ｒｅｄｕｃｅｄ  ｓｐａｃｅ）の前記対向面の間の前記材料を加圧するステップであって、前記対向面の少なくとも１つの形状が前記材料内に形状化されて、前記材料に保持できるような時間まで、前記対向面の間の前記縮小空間が少なくとも実質的に一定に維持されるステップと、
（ｉｉｉ）前記表面が前進するにつれて前記対向面の間に前記空間が増大するときに、前記対向面の間から今や形状化された材料を解放するステップとを備えるか又は含み、
前記対向面の各々、又は少なくとも１つのこのような前記表面は、前記成形工具セットそれ自体の案内回路を中心に前進させられる成形工具セットの１つ以上の成形工具によって提供され、
前記成形工具が前記材料を加圧するか又は解放するためにゾーンに存在するとき、少なくとも前記成形工具が前記成形材料に接触する箇所で隣接する前記成形工具の間に好ましくはギャップがなく、また前記ゾーンにわたる前記成形工具セットの少なくとも１つの隣接する工具の間の相対運動は、前記他方の対向面の成形工具のみに向かう。
【０００８】
好ましくは、前記案内回路は環状である。
【０００９】
代わりに、前記案内回路は遮られる。
【００１０】
好ましくは、前記対向面の各々は、一連の成形工具の１つ以上の成形工具によって提供される。
【００１１】
好ましくは、前記成形工具の各々は、前記加圧成形ゾーンを通して駆動手段による前記成形工具の駆動によって少なくとも部分的に前進させられる。
【００１２】
好ましくは、前記駆動作用は、油圧式、電子式又はその他であるかに関わらず、モータを介する。
【００１３】
好ましくは、前記成形工具の各々は、前記ステップ（ｉｉ）の加圧が行われる前記加圧成形ゾーンを通して追随する成形工具による分岐によって少なくとも部分的に前進させられる。
【００１４】
好ましくは、前記ステップ（ｉｉ）の加圧が行われる前記加圧成形ゾーンで、前記成形工具の各々は、前記前進方向に対し横断方向の前記ガイドトラックの側面の各々の前記成形工具の２つの軸線に作用する１つ以上のガイドトラックに支持され、これによって、配向に関する限り、前記成形工具を前記加圧成形ゾーンで再現可能に提示する。
【００１５】
好ましくは、前記案内回路で、１つ又は両方の一連の成形工具は、前記成形工具の１つのみ又は少数に対する直接の前記駆動作用下で前記案内回路の少なくとも一部にわたって押圧される各々の前記成形工具によって前記案内回路を中心に順次前進させられる。
【００１６】
好ましくは、前記案内回路で、１つ又は両方の一連成形工具は、１つ以上のゾーンの各々の成形工具の各々の側面の前記ガイドトラックの軌跡差によって、加圧成形ゾーンを通して必要とされる隣接する成形工具の相互の状態から変更することが許容される。
【００１７】
好ましくは、前記ステップ（ｉｉ）の加圧が行われる前記加圧成形ゾーンで、一連の成形工具は下向きに表面を提示し、一方、下にある一連の成形工具は上向きに表面を提示する。
【００１８】
好ましくは、下にある一連の成形工具の成形工具は、前記ステップ（ｉｉ）の加圧が行われる前記加圧成形ゾーンにあるとき、各々下から支持される。
【００１９】
好ましくは、前記成形工具は、３次元の形状を前記材料内に成形することができる。
【００２０】
好ましくは、前記少なくとも一連の工具は、液晶ディスプレイ（「ＬＣＤ」）の形状を刻印するように形状化される。
【００２１】
好ましくは、前記少なくとも一連の工具は、光電池の形状を刻印するように形状化される。
【００２２】
好ましくは、前記少なくとも一連の工具は、テキストプロフィールのプロフィールを前記材料に刻印するように形状化される。
【００２３】
好ましくは、前記材料は、成形可能であるか否かに関わらず、別の材料と共に導入される。
【００２４】
好ましくは、前記材料はプラスチック材料である。
【００２５】
好ましくは、前記材料は液体又は半液体形態で導入される。
【００２６】
代わりに、前記材料は、前記加圧成形ゾーンの直前に又はその中で加熱を受けて、材料の成形を可能にするために、半剛性又は剛性の形態で導入することができる。
【００２７】
さらに、前記材料は、他の材料によって覆われるために導入可能な個々の部分でもよい。
【００２８】
代わりに、前記材料は、加圧成形ゾーンの加熱がない場合にのみ加圧成形される。
【００２９】
好ましくは、前記材料は押出形態で導入される。
【００３０】
代わりに、前記材料は、液体、半液体、半剛性又は剛性形態に関わらず、不連続又は別個の長さで導入される。
【００３１】
好ましくは、２連の前記成形工具の各々は、液晶ディスプレイ（「ＬＣＤ」）の形状を刻印するように形状化される。
【００３２】
好ましくは、前記形状は前記材料の一方の側面に刻印される。
【００３３】
好ましくは、前記形状は前記材料の両方の側面に刻印される。
【００３４】
好ましくは、前記成形工具は、前記１つ以上のガイドトラックで又は当該トラック上で動作する少なくとも１つの搬送工具と、前記対向面の少なくとも１つを提供するための少なくとも１つの表面工具との複合体であり、前記表面工具は、前記表面工具によって支承されるべき前記搬送工具に又は当該工具から装着される。
【００３５】
好ましくは、各々の成形工具、又は前記表面工具を搬送する前記搬送工具は、少なくとも２つの別個のフォロワセット、すなわち、前記工具が加圧成形ゾーンにある間のみ係合される一方のセットと、前記１つ以上のガイドの残部を中心に前記工具を案内するためにその後に使用される別のセットとを有する。
【００３６】
好ましくは、前記材料が前記多数の加圧成形ゾーンの間でさらに処理される多数の前記加圧成形ゾーンがある。
【００３７】
好ましくは、さらに１つ又は複数の材料が前記加圧成形ゾーンの間に又は当該ゾーンに加えられる。
【００３８】
第２の形態では、本発明は、成形可能な１つ又は複数の材料（「複数の材料」）を成形するための成形装置に広範囲に存在すると言うことができ、前記装置は、
第１の鋳型セット又は成形工具（「第１の成形工具セット」）と、
第２の鋳型セット又は成形工具（「第２の成形工具セット」）であって、前記第２の成形工具セットの各々の鋳型又は工具（「成形工具」）が、加圧成形ゾーンで協働する成形工具を成形するために、前記第１の成形工具セットの１つ以上の鋳型又は工具（「成形工具」）と協働するように構成され、又はその逆である第２の鋳型セット又は成形工具と、
第１の成形工具セットの１つ又は複数のガイド（「第１の１つ又は複数のガイド」）であって、該ガイドを中心に、前記第１の成形工具セットが第１の回路を中心に移動されることができる第１の成形工具セットの１つ又は複数のガイドと、
第２の成形工具セットの１つ又は複数のガイド（「第２の１つ又は複数のガイド」）であって、該ガイドを中心に、前記第２の成形工具セットが第２の回路を中心に移動されることができる第２の成形工具セットの１つ又は複数のガイドと、
前記１つ又は複数のガイドを中心に前記成形工具セットの前記成形工具を機械方向に順次前進して移動させるための少なくとも１つの一次駆動装置（「第１の駆動装置」）とを備えるか又は含み、
少なくとも前記回路の部分で、前記加圧成形ゾーンの直前又は直後（以下「リードゾーン」（ｌｅａｄ  ｚｏｎｅ）で、前記隣接する成形工具の相対運動のみが前記成形工具が協働する前記他方の成形工具セットの成形工具に向かうか又は当該工具から離れる（以下、前記「運動」）ように、１つの前記成形工具セットの隣接する成形工具が移動可能に支持される。
【００３９】
好ましくは、前記運動は、前記機械方向に対し、前記加圧成形ゾーン（「リードインゾーン（ｌｅａｄ−ｉｎ  ｚｏｎｅ）」）の前に行われる。
【００４０】
好ましくは、前記運動は、前記機械方向に対し、前記加圧成形ゾーン（「リードアウトゾーン（ｌｅａｄ−ｏｕｔ  ｚｏｎｅ）」）の後に行われる。
【００４１】
好ましくは、前記リードゾーンで、両方の前記前記成形工具セットは、互いに向かって前記運動を経験するように移動可能に支持される。
【００４２】
好ましくは、前記成形工具セットの少なくとも１つのために、温度制御システムが提供される。
【００４３】
好ましくは、前記温度制御システムは前記成形工具に関する温度を制御する。
【００４４】
好ましくは、少なくとも前記加圧成形ゾーンは、前記１つ又は複数の温度制御システムによって温度制御される。
【００４５】
好ましくは、前記温度制御システムは、前記温度を周囲温度の上又は下に上げるか及び／又は高めることができる。
【００４６】
好ましくは、前記成形工具セットの１つは、回路の軸線が成形工具セットの他方の回路の回路軸線に対し９０°にある当該回路を中心に移動する。
【００４７】
好ましくは、前記支持軸線は、回転軸線又はガイド旋回軸線を介して前記ガイドのトラックで走る。
【００４８】
好ましくは、前記ガイド及びトラックも、前記機械方向に対する前記成形工具の横断移動を可能にする。
【００４９】
好ましくは、各々の前記成形工具セット用に少なくとも２つのガイドがある。
【００５０】
好ましくは、前記少なくとも２つのガイドの各々１つは、前記成形工具セットの前記成形工具のいずれかの側面に配置される。
【００５１】
好ましくは、前記ガイドは互いに位置ロックできる。
【００５２】
好ましくは、前記対向面は、０．０ｋｇ／ｃｍ2〜２５０ｋｇ／ｃｍ2を前記対向面の間の前記材料に適用することができる。
【００５３】
好ましくは、前記対向面は、０．０ｍ／分〜３００ｍ／分で前記機械方向を移動することができる。
【００５４】
好ましくは、前記対向面は、１ミクロン〜１０メートルまでの前記材料内に組織を刻印することができる。
【００５５】
好ましくは、前記成形工具は、加圧成形ゾーンの外側に、選択的にリードインゾーン及びリードアウトゾーンの外側にあるときにより速く移動する。例えば、成形工具が、回路の残部を通した速度よりも速く動作する別個の駆動システムによってリードアウトゾーンからリードインゾーンに移動可能である場合。
【００５６】
好ましくは、多数のリードインゾーン、及び一方の成形工具セットの最終の加圧成形ゾーンに向かって下がる加圧成形ゾーンがある。
【００５７】
第３の形態では、本発明は、成形可能な１つ又は複数の材料（「複数の材料」）を成形するための成形装置に広範囲に存在すると言うことができ、前記装置は、
第１の鋳型セット又は成形工具（「第１の成形工具セット」）と、
第２の鋳型セット又は成形工具（「第２の成形工具セット」）であって、前記第２の成形工具セットの各々の鋳型又は工具（「成形工具」）が、加圧成形ゾーンで協働する成形工具を成形するために、前記第１の成形工具セットの１つ以上の鋳型又は工具（「成形工具」）と協働するように構成され、又はその逆である第２の鋳型セット又は成形工具と、
第１の成形工具セットの１つ又は複数のガイド（「第１の１つ又は複数のガイド」）であって、該ガイドを中心に、前記第１の成形工具セットが第１の回路を中心に移動されることができる第１の成形工具セットの１つ又は複数のガイドと、
第２の成形工具セットの１つ又は複数のガイド（「第２の１つ又は複数のガイド」）であって、該ガイドを中心に、前記第２の成形工具セットが第２の回路を中心に移動されることができる第２の成形工具セットの１つ又は複数のガイドと、
前記１つ又は複数のガイドを中心に前記成形工具セットの前記成形工具を機械方向に順次前進して移動させるための少なくとも１つの一次駆動装置（「第１の駆動装置」）とを備えるか又は含み、
少なくとも前記回路の部分で、前記加圧成形ゾーンの直前又は直後（以下「リードゾーン」）で、前記隣接する成形工具の相対運動のみが前記成形工具が協働する前記他方の成形工具セットの成形工具に向かうか又は前記成形工具から離れる（以下、前記「運動」）ように、１つの前記成形工具セットの隣接する成形工具が移動可能に支持される。
【００５８】
好ましくは、前記運動は、前記機械方向に対し、前記加圧成形ゾーン（「リードインゾーン」）の前に行われる。
【００５９】
好ましくは、前記運動は、前記機械方向に対し、前記加圧成形ゾーン（「リードアウトゾーン」）の後に行われる。
【００６０】
好ましくは、前記リードゾーンで、両方の前記前記成形工具セットは、互いに向かって前記運動を経験するように移動可能に支持される。
【００６１】
好ましくは、前記成形工具セットの少なくとも１つのために、温度制御システムが提供される。
【００６２】
前記温度制御システムが前記成形工具に関する温度を制御する請求項９に記載の成形装置。
【００６３】
好ましくは、少なくとも前記加圧成形ゾーンは、前記１つ又は複数の温度制御システムによって温度制御される。
【００６４】
好ましくは、前記温度制御システムは、前記温度を周囲温度の上又は下に上げるか及び／又は高めることができる。
【００６５】
好ましくは、前記成形工具セットの１つは、回路の軸線が成形工具セットの他方の回路の回路軸線に対し９０°にある当該回路を中心に移動する。
【００６６】
好ましくは、前記支持軸線は、回転軸線又はガイド旋回軸線を介して前記ガイドのトラックで走る。
【００６７】
好ましくは、各々の前記成形工具セット用に少なくとも２つのガイドがある。
【００６８】
好ましくは、前記少なくとも２つのガイドの各々１つは、前記成形工具セットの前記成形工具のいずれかの側面に配置される。
【００６９】
好ましくは、前記装置は、成形工程のいずれかの部分として、又は保守点検又は整備を可能にするために、前記機械方向と逆に駆動されることができる。
【００７０】
好ましくは、前記ガイドは互いに位置ロックできる。
【００７１】
別の形態において、本発明は、成形可能な少なくとも１つの材料を含む成形可能な１つ又は複数の材料（「１つ又は複数の材料」）を成形するための装置に広範囲に存在すると言うことができ、前記装置は、
第１の鋳型セット又は成形工具ボルスタ（「第１の成形工具セット」）と、
第２の鋳型セット又は成形工具ボルスタ（「第２の成形工具セット」）であって、前記第２の成形工具セットの各々の鋳型又は工具（「成形工具」）が、加圧成形ゾーンで前記第１の成形工具セットの１つ以上の鋳型又は工具（「成形工具」）と協働するように構成され、又はその逆である第２の鋳型セット又は成形工具ボルスタと、
第１の成形工具セットの１つ又は複数のガイド（「第１の１つ又は複数のガイド」）であって、該ガイドを中心に、前記第１の成形工具セットが第１の回路を中心に移動されることができる第１の成形工具セットの１つ又は複数のガイドと、
第２の成形工具セットの１つ又は複数のガイド（「第２の１つ又は複数のガイド」）であって、該ガイドを中心に、前記第２の成形工具セットが第２の回路を中心に移動されることができる第２の成形工具セットの１つ又は複数のガイドと、
前記第１の１つ又は複数のガイドを中心に前記第１の成形工具セットの成形工具を順次前進して移動させるための第１の駆動装置と、
前記第２の１つ又は複数のガイドを中心に前記第２の成形工具セットの成形工具を順次前進して移動させるための第２の駆動装置とを備えるか又は含み、
前記成形工具が前進させられる（以下「機械方向」）前記加圧成形ゾーンにわたって、各セットの１つについて、協働する成形工具の一定の参照関係があり、
また前記成形工具の各々が前記機械方向に対し横断方向の２つの軸線に支持されるときに、前記駆動装置及びその１つ又は複数のガイドの一方（好ましくは両方）が前記成形工具セットの工具を分岐させるか又は駆動し、このような軸線の各々は回転軸線又はガイド旋回軸線から選択され、この結果、前記１つ又は複数の回路の少なくとも一部で、一方の軸線は他方の軸線に対し異なる軌跡に従い、これによって、前記１つ又は複数の回路の近接する成形工具が前記機械方向に対し同一の配向に保持されるか又は保持されないことを可能にする。
【００７２】
好ましくは、前記ガイドの少なくとも１つ、好ましくは前記ガイドの各々は、１つ以上のトラックと、１つのローラグライドとから成り、あるいは各々の成形工具の前記軸線の一方の他のフォロワは１つ以上のトラックに従い、一方、他方は１つのローラグライドに従う。
【００７３】
ガイド内の又はガイド上の成形工具のこのような追従は、本発明の範囲内に含まれる多くの方法によって達成することができることを理解すべきである。例えば、ローラ係合（軸受、又はブッシュ等によるかに関わらず）、スライド係合、リニア軸受、カムフォロワ及び当分野で公知の他の手段があるが、それらに限定されない。
【００７４】
一実施形態では、ローラ、グライド及び／又は他のフォロワは、鋳型が動作圧力下にあるときに少なくとも克服される重力効果の結果としてそれらがさもなければ支承する表面とは別個の表面を支承する。
【００７５】
選択的に、しかし好ましくは熱成形のために、加圧成形ゾーンの上方の１つ又は複数のガイドは、鋳型が加圧ゾーン内に及び／又はそれを通して進むときに挟持効果を提供する。
【００７６】
他の形態では、本発明は、少なくとも１つの成形可能な材料を含む１つ又は複数の材料（複数の材料）を成形するための装置であり、前記装置は、
第１の鋳型セット又は成形工具ボルスタ（「第１の成形工具セット」）と、
第２の鋳型セット又は成形工具ボルスタ（「第２の成形工具セット」）であって、前記第２の成形工具セットの各々の鋳型又は工具（「成形工具」）が、加圧成形ゾーンで前記第１の成形工具セットの１つ以上の鋳型又は工具（「成形工具」）と協働するように構成され、又はその逆である第２の鋳型セット又は成形工具ボルスタと、
第１の成形工具セットの１つ又は複数のガイド（「第１の１つ又は複数のガイド」）であって、該ガイドを中心に、前記第１の成形工具セットが第１の回路を中心に移動されることができる第１の成形工具セットの１つ又は複数のガイドと、
第２の成形工具セットの１つ又は複数のガイド（「第２の１つ又は複数のガイド」）であって、該ガイドを中心に、前記第２の成形工具セットが第２の回路を中心に移動されることができる第２の成形工具セットの１つ又は複数のガイドと、
前記第１の１つ又は複数のガイドを中心に前記第１の成形工具セットの成形工具を順次前進して移動させるための第１の駆動装置と、
前記第２の１つ又は複数のガイドを中心に前記第２の成形工具セットの成形工具を順次前進して移動させるための第２の駆動装置と、を備えるか又は含む。
【００７７】
好ましくは、前記１つ又は複数の第２のガイドを中心に前記第２の成形工具セットの前記成形工具を順次前進して移動させるための第２の前記一次駆動装置がある。
【００７８】
好ましくは、少なくとも成形工具を動作範囲の１つ又は複数の温度に制御するために、又はこのような１つ又は複数の温度に維持するために、あるいは両方のために温度制御システムがある。
【００７９】
好ましくは、
（Ｉ）協働する成形工具、各セットの１つ以上について、ならびに
（ＩＩ）成形工具が機械方向に前進させられる前記加圧成形ゾーンにわたって、同一の鋳型セットの成形工具に対しまたそれに先行して又はそれに続き一定の参照関係がある。
【００８０】
好ましくは、１つ又は複数のガイドは、鋳型を後続の鋳型によって付勢できる曲線を含み、後続の鋳型は、その１つ又は複数のガイドとの関連付けによる以外、より先行した（機械方向に対し）鋳型に連結されない。
【００８１】
温度制御は加熱、冷却又はその両方であることができる（例えば、加熱しとそれに続き冷却し、形状の保持又は冷却、それに続く加熱を行う（選択的に引き続き冷却））。このような制御は、制御される（例えば、電子感知及び駆動手段によって）加熱回路及び冷却回路によって能動的に達成可能であるか、あるいは例えば過剰熱が導いて取り除かれるか又は保持されるように材料選択で固有でもよい。
【００８２】
好ましくは、前記成形工具によって前記１つ又は複数の材料に印加される圧力を増大するために前記加圧成形ゾーンの前記成形工具を支承するため、前記加圧成形ゾーンの一方の側面に少なくとも１つの圧力プレートがある。
【００８３】
好ましくは、２つの前記圧力プレート、すなわち、前記加圧成形ゾーンの上方の第１の圧力プレート及び前記加圧成形ゾーンの下方の第２の圧力プレートがある。
【００８４】
好ましくは、前記セットの隣接する成形工具は、少なくとも前記加圧成形ゾーンにわたって第１のロック手段によって互いにロックされる。
【００８５】
好ましくは、前記セットの協働する成形工具は、少なくとも前記加圧成形ゾーンにわたって第２のロック手段によって互いにロックされる。
【００８６】
好ましくは、前記第１のロック手段はピンとスロットとの係合による。
【００８７】
好ましくは、前記第２のロック手段はモールステーパ係合による。
【００８８】
好ましくは、前記成形工具の各々が前記機械方向に対し横断方向の２つの軸線に支持されるときに、前記駆動装置及びその１つ又は複数のガイドの一方（好ましくは両方）は、前記成形工具セットの工具を分岐させるか又は駆動し、このような軸線の各々は回転軸線又はガイド旋回軸線から選択され、この結果、前記１つ又は複数の回路の少なくとも一部で、一方の軸線は他方の軸線に対し異なる軌跡に従い、これによって、前記１つ又は複数の回路の近接する成形工具が前記機械方向に対し同一の配向に保持されるか又は保持されないことを可能にする。
【００８９】
好ましくは、前記ガイドの少なくとも１つ、好ましくは前記ガイドの各々は、２つのトラックと、１つのローラとから成り、各々の成形工具の横断方向の前記２つの軸線の一方のグライド及び／又は他のフォロワは２つのトラックに従い、一方、他方は１つのローラに従う。
【００９０】
一実施形態では、前記ローラ、グライド及び／又は他のフォロワは、成形工具が前記加圧ゾーンの動作圧力下にあるときに少なくとも克服される重力効果の結果としてそれらがさもなければ支承する表面とは別個の表面を支承する。
【００９１】
選択的に、しかし好ましくは熱成形のために、加圧成形ゾーンの上方の１つ又は複数のガイドは、成形工具が加圧ゾーン内に及び／又はそれを通して進むときに挟持効果を提供する。
【００９２】
前述の装置の任意の装置では、第１及び第２の成形工具セット（「１つ又は複数の工具」）は、一方のセットの成形工具が加圧成形ゾーンにわたって他方のセットの成形工具の上に下方に又は当該成形工具に向かって進む（ｐｒｅｓｅｎｔｓ）ように平面で動作する。しかし、本発明の他の形態では（例えば射出成形等に関し）、好ましくは又は選択的に、前記第１及び第２の成形工具セット（「１つ又は複数の工具」）は、水平又は垂直に対し考慮したときに前記セットが並んでいる加圧成形ゾーンにわたって互いにそれぞれのセットの成形工具を提示（ｐｒｅｓｅｎｔ）するようなものである。他の選択は、任意の１つ又は複数の方向からの提供を含む。
【００９３】
好ましくは、加圧成形ゾーンの始めの前記成形工具は、（工具から工具のギャップが材料を捕捉する可能性なしに）互いに対しさもなければ整列された条件で段階的に進む（ｐｒｅｓｅｎｔ）。
【００９４】
好ましくは、前記段階的な整列は移動軌跡に従う。
【００９５】
好ましくは、前記移動軌跡は、前記対向する協働する成形工具に向かって直線的かつ斜めである。
【００９６】
代わりに、前記移動軌跡は、前記対向する協働する成形工具から離れるか及び／又は向かい、直線的又は湾曲した移動軌跡に従うことが可能である。
【００９７】
好ましくは、任意の１つの成形工具の上方又は下方の移動が、その隣接するブロック（前と後の両方）に通常係合しないように、成形工具の実際の厚さよりも大きい場合、ブロックの見掛けの全高がブロックが行う上向き又は下向き運動よりも大きいように、ブロック、及びその隣接するブロックとの界面の高さを増大するために、ブロック延長部が存在する。
【００９８】
本発明のいくつかの形態では、材料を導入することができる手段は、いずれかの成形工具鋳型セットの加圧成形ゾーンの前にあってもよい。例えば、成形面の１つへの押出によって。
【００９９】
代わりの追加の材料は、成形されるべきか否かに関わらず、加圧成形ゾーン内に、例えば、成形されるべき第１の材料の積層体として加えられる。
【０１００】
好ましくは、前記１つ又は複数のガイドは、２つのトラック用の異なる軌跡又は前記成形工具の各軸線を案内するための等価物を含む。
【０１０１】
好ましくは、前記２つのトラックは、両端に２つのトラックがあるように、成形工具の両端にある。
【０１０２】
代わりに、前記２つのトラックは、前記ローラ、グライド及び／又はフォロワを介して、前記成形面の外側の１つ又は複数の表面（例えば、前記成形工具の側面、前記成形工具の背部等）に係合する。
【０１０３】
好ましくは、前記成形工具に提供される２つ以上のガイドがある。例えば、前記加圧成形ゾーンに追加の圧力を提供するために、前記成形工具の中央を走る前記成形工具及び追加のガイドのいずれかの１つの側面があってもよい。
【０１０４】
好ましくは、ローラ、グライド又は他のフォロワ（好ましくは前記成形工具の前記支持軸線の一方の前記成形工具の両側の１つ）は、同一の成形工具を支持し、これによって別個の追跡を可能にする前記軸線の他方の軸線のための他のローラ、スライド及び／又は他のフォロワ（好ましくは前記成形工具の両側の１つ）に対し成形工具から適切な異なる距離である）。
【０１０５】
好ましくは、構成は、材料が加圧成形ゾーンを通して移動されるときに成形工具セットの隣接する成形工具の間の材料進入を可能にするためのギャップがないか、ほとんどないようなものである。
【０１０６】
しかし、好ましくは、各々の成形工具セットの回路は、前記支持軸線の各々のローラ、グライド及び／又は他のフォロワの関連する１つ又は複数のガイドの僅かに異なる動作の結果として、曲線の周りのギャップの開閉を可能にする。
【０１０７】
好ましくは、前記加圧成形ゾーンを通して、各々の成形工具は、その噛合又は協働する成形工具に対し、また直接隣接するそれ自体の成形工具セットの少なくとも１つに対しても、その配向を変更しないし、
【０１０８】
好ましくは、前記成形工具は、温度に応じて寸法が変化する種類であり、また好ましくは、動作温度に上げられ又は下げられるときに、前記成形工具が本発明の目的にかなうことを可能にするために成形工具の装着部に十分な遊びがある。
【０１０９】
好ましくは、前記成形工具は、隣接する及び／又は協働する成形工具に対し配置される強化領域を有する。
【０１１０】
好ましくは、前記搬送工具への又は前記搬送工具からの前記表面工具の装着部は、前記表面工具が前記搬送工具に対し又はその逆に熱膨張することを可能にする装着部である。
【０１１１】
好ましくは、動作温度に達していないときでも、また好ましくは、加圧成形ゾーン、すなわち加圧ゾーンに通じるその鋳型セットのそのゾーンの前に、成形工具セットの１つに溶融材料の押出があることが可能な箇所では、前記加圧成形ゾーンの前後には材料を捕捉するギャップはない。
【０１１２】
好ましくは、成形工具セットを動作温度にするための温度制御システムが提供される。好ましくは、使用中に成形工具を動作温度に維持することができる温度制御システム（例えば加熱及び／又は冷却）がある。
【０１１３】
好ましくは、温度システムは、同一であり、また好ましくはその各々は、温度制御される作動流体（例えば空気、ガス又は液体）に頼る。好ましくは、前記温度は監視される。
【０１１４】
好ましくは、提供された任意の温度制御システムは、一方又は好ましくは両方の成形工具セットであり、このように、セットの各々の成形工具は、少なくとも前記加圧成形ゾーンにわたって動作温度又は温度特性にされるか又は維持されることができる。
【０１１５】
好ましくは、成形工具セット及びそのガイドの少なくとも一方は、前記加圧ゾーンの成形工具及び成形面の「開放」又は「閉鎖」を行うように、他方の成形工具セット及びそのガイドに対し移動されることができる（例えば、前記ガイドを支持するフレームの間の空気圧、電気又は油圧システムの作用下で）。選択的に、閉鎖状態のロックがあり得る。熱成形又はいくつかの形態の成形の場合の閉鎖は、前記成形工具セットのその有効な協働距離を単に意味するに過ぎない場合がある。
【０１１６】
好ましくは、成形工具の少なくとも１つの好ましくは両方のセットは、駆動装置によって、新たに提示された各々の成形工具の順次係合によって前進させられ、次に、駆動装置は、蓄積された鋳型を前記加圧成形ゾーン内に付勢する。
【０１１７】
好ましくは、前記一次駆動装置は、前記加圧成形ゾーンの直前の前記成形工具を駆動する。
【０１１８】
好ましくは、各々の前記成形工具は個別に駆動される。
【０１１９】
好ましくは、前記成形工具の各々は、回路の１つ又は複数の駆動装置によって個別に駆動されるか又は交互に駆動される。
【０１２０】
好ましくは、例えば前記ガイドと前記成形工具との間の摩擦を克服する際に、前記一次駆動装置を補助するための少なくとも１つの二次駆動装置がある。
【０１２１】
好ましくは、前記少なくとも１つの二次駆動装置は、前記ガイドを介して成形工具を前記一次駆動装置に送る。
【０１２２】
好ましくは、前記成形工具は、前記１つ以上のガイドトラックで又は当該トラック上で動作する少なくとも１つの搬送工具と、前記対向面の少なくとも１つを提供するための少なくとも１つの表面工具との複合体であり、前記表面工具は、前記表面工具によって支承されるべき前記搬送工具に又は当該工具から装着される。
【０１２３】
好ましくは、前記搬送工具への又は前記搬送工具からの前記表面工具の装着部は、前記成形工具が前記搬送工具に対し又はその逆に熱膨張することを可能にする装着部である。例えば、表面工具に例えばアルミニウムがより多く、搬送工具が例えば鋼製である場合、表面工具は搬送工具とは異なって膨張する。
【０１２４】
好ましくは、ガイド、トラック及び任意の支持構造体の熱負荷の下の膨張を補償するための膨張接合部もある。
【０１２５】
表面工具とその搬送工具との間の自由度は、２つのこのような相対的膨張を可能にするキーイングによって提供される。
【０１２６】
他の形態では、本発明は、圧力下で導入された及び／又は移動する及び噛合する又は協働する成形工具の間のゾーン（「工具の協働するゾーン」）に押圧されるべき３次元又は２次元の形態を１つ又は複数の材料に提供する成形工具を協働させる種類の成形機械であって、
各々の前記成形工具は、それ自体の案内回路を中心に一連のこのような工具を前進させ、少なくとも１つの工具から少なくとも１つの工具で協働するゾーンで、各々の前記成形工具は、その案内回路の２つの案内軸線によって前進方向に対するその配向及びその協働する１つ又は複数の工具に対する配置に関し制御され、
また一方又は両方の案内回路は、前記回路の少なくとも一部に、その同一の工具の前記案内軸線の他方の軸線に対し異なる軌跡における工具の前記案内軸線の第１の軸線を有する、成形機械に存在する。
【０１２７】
好ましくは、各々の成形工具は、動作温度に応じて寸法が変化する種類から成る。
【０１２８】
好ましくは、不完全な工具回路があり、このため、鋳型を取り除いて置き換えることができ、また工具協働ゾーンに入る前に鋳型は工具協働ゾーンを出る。
【０１２９】
他の形態では、本発明は、次のステップ、すなわち、
１つ又は複数の材料を協働する成形工具の圧力に順次提示するステップであって、前記成形工具の各々が別個の回路ガイドで移動するステップと、
前記成形工具が、少なくとも実質的なセットの前記材料へのそれらのそれぞれの回路ガイドで別個に前進するとき、前記材料を当該の加圧状態にもたらすステップと、
前記製品又は製品流の取り除きを行うか又は可能にするために、前記成形工具がそれらのそれぞれの回路ガイドで前進するときに前記成形工具を分離するステップと、
を備えるか又は含む製品又は製品流を成形する方法である。
【０１３０】
好ましくは、本方法は、次の材料、すなわち、
溶融した成形可能な材料、
圧縮定着材料、
圧縮成形可能な材料（例えばアルミニウム）、
熱成形可能な温度で提供される熱成形可能な材料、
成形工具によって成形可能な状態に加熱される熱成形可能な材料、
成形工具等によって冷却される熱成形可能な材料又は溶融した成形可能な材料、
成形工具によって熱硬化される熱成形可能な材料、
異なる特徴の１つ以上の材料を有する前述の材料の任意の材料、
の１つ以上を含むことができる。
【０１３１】
他の形態において、本発明は、成形装置であって、
複数の別個の成形要素（「成形工具」）と、
回路（完全又は不完全であるかに関わらず）として、回路の第１の端部の前記成形工具の各々のための１つ又は複数のガイドトラックと、
相補的な回路として、回路の第２の端部の前記成形工具の各々のための１つ又は複数のガイドトラックと、
前記成形工具に順次作用しかつ係合された成形工具を付勢するか又は大部分の係合された成形工具をその先行体と当接させ、これによって、複数の成形工具を前進させる１つ又は複数の駆動装置とを有し、
前記回路は、整列された前記成形工具の成形ゾーンに先行して成形工具用の整列ゾーンを形成する、成形装置に存在する。
【０１３２】
好ましくは、前記成形ゾーンは、プラットホーム状であるか又は整列された隣接する成形工具から成る。
【０１３３】
好ましくは、前記成形ゾーンは圧力下にある。
【０１３４】
好ましくは、前記成形ゾーンは熱制御される。
【０１３５】
好ましくは、各々の前記成形工具の両端又は外面の回路に関し離間した異なるローラ、グライド、フォロワ等に作用するために、各々の前記の回路に少なくとも１つのガイドトラックがある。
【０１３６】
好ましくは、前記成形工具のすべては同一の熱膨張特性を有し、また好ましくは、前記成形装置は、ある温度範囲にわたって前記回路を中心に前記成形工具を移動させることができる。
【０１３７】
好ましくは、前記成形工具が異なる熱膨張を有する箇所では、搬送工具とそれに装着された表面工具との間の熱膨張係合による成形工具の場合（複合成形工具を成形するため）、又はガイド通路が存在する成形工具の全長よりも長い回路の場合、熱膨張についてゆとりがある。
【０１３８】
好ましくは、前記成形工具は実質的に一体設計である。
【０１３９】
他の形態では、本発明は、成形されるべき１つ又は複数の材料に共同作用するために、前述したような２つの成形装置の組み合わせにある。
【０１４０】
他の形態では、本発明は、前述したような動作並列成形装置（「第１の成形装置」）、及び
前述したような少なくとも１つの他の成形装置（「第２の成形装置」）にあり、この他方の成形装置又は各々は、成形要素がそれらの協働の領域にわたって第１の成形装置の成形要素の移動に同期するように（例えば、前記成形ゾーンのすべて又は一部の間）移動するように配置される。
【０１４１】
好ましくは、第１の成形装置は、前記第２の成形装置が上から協働するプラットホームとして成形ゾーンを形成する一実施形態である。
【０１４２】
さらに別の形態では、本発明は、１つ以上の送入材料を成形するための連続成形面であって、
機械方向に移動するように駆動される成形された第１の成形工具又は成形可能な第１の表面（第１の成形面）と、
前記機械方向に移動するように駆動されまた前記第１の表面に実質的に平行にかつ近接して位置する成形された第２の成形工具又は成形可能な第２の表面（第２の成形面）とを備えるか又は含み、
前記成形ゾーンが従うリードインゾーンを成形するために、前記第１又は第２の成形面の少なくとも一方が、ガイドに直接又は間接に装着された別個の成形工具から成り、各々の前記成形工具が前記リードインゾーンを横断するときにその隣接するブロックに対してのみ移動し、ブロックの移動が前記成形面の他方に向かう、連続成形面に存在する。
【０１４３】
上述の説明において、好ましくは、別個の成形工具は、両方の方向で回路を中心に「分岐される」か又は駆動され（少なくとも部分的に）、
（ｉ）成形工具は、成形工具の１つのみ（又は少数）に対する駆動作用の下に回路の少なくとも一部にわたって互いに押圧し、
（ｉｉ）相互の整列状態（加圧成形ゾーンにおけるような）からの回路配向の上方部分は、成形工具の外面の端部の各々の一方ガイドトラックの軌跡差によって許容される。
【０１４４】
好ましくは、前述の実施形態の任意の観点で、好ましくは、少なくとも１つの回路、好ましくは両方の回路、又は選択的にすべての回路は、観測したときに実質的に長円である。
【０１４５】
好ましくは、回路の１つ以上の前記長円の平坦な領域は、前記加圧成形ゾーンを提供し、好ましくは、長円のこのような平坦な部分はまた、加圧成形ゾーンを形成し、かつ選択的にリードイン及び／又はリードアウトゾーンを形成する。
【０１４６】
好ましくは、前記長円形状の湾曲部から傾いた部分は、前記加圧成形ゾーンに向かって前記リードゾーンを提供する。
【０１４７】
好ましくは、必要な整列を提供するために直交成分の移動がある可能性にも関わらず、前記整列ゾーンで、別個の前記成形工具のすべてはその近傍と同一の速度成分で移動している。
【０１４８】
好ましくは、前記１つ又は複数の駆動装置は、前記１つ又は各々の長円回路の下方部分のみの１つ又は２つの成形工具から成る。
【０１４９】
代わりに、各々の前記成形工具は個別に駆動される。
【０１５０】
好ましくは、成形工具のそれぞれの界面に、隣接する成形工具の係合（例えば機械式又は磁気式）がある。
【０１５１】
本明細書に使用されているように、駆動装置という用語は、部材又は一連の部材を付勢するためのスプロケット、摩擦、磁気、ドライブサーボ駆動装置、メッシュ駆動装置又は関連技術で公知の同様の装置を介したものでよい。
【０１５２】
好ましくは、前記駆動装置は、駆動装置への前記成形要素の重力落下があり得る方向にあり、駆動装置は長円の平坦部にあることが好ましい。
【０１５３】
なお他の形態では、本発明は、材料を成形する方法であって、
成形装置にリードインゾーン、加圧成形ゾーン及びリードアウトゾーンを設けるステップであって、加圧成形装置が、上方成形面と下方成形面との間に成形キャビティを形成するそれらの成形面を有するステップと、
成形装置に少なくとも１つの送入材料を供給するステップと、
少なくとも前記加圧成形ゾーンの前記少なくとも１つの送入材料に圧力を印加するステップとを備えるか又は含み、
少なくとも前記上方成形面が、移動軌跡に従う別個の成形工具から成り、このように、前記少なくとも１つの送入材料内に又は上に形状を付与する、材料を成形する方法に存在する。
【０１５４】
本明細書に使用されているように、長円の観点における「平坦」という用語は、回路の配向には関係ない。
【０１５５】
好ましくは、各々の前記成形工具セットは、前記加圧成形ゾーンの少なくとも一部で成形面を成形する。
【０１５６】
好ましくは、前記成形面の各々は、前記１つ又は複数の材料を成形するために協働する。
【０１５７】
別の形態では、本発明は、添付図の任意の１つ以上を参照して本明細書に記載したような製品に存在する。
【０１５８】
さらに別の形態では、本発明は、添付図の任意の１つ以上を参照して本明細書に記載したような成形方法に存在する。
【０１５９】
他の形態では、本発明は、添付図の任意の１つ以上を参照して本明細書に記載したような成形装置に存在する。
【０１６０】
さらになお別の形態では、本発明は、添付図の任意の１つ以上を参照して本明細書に記載したような１つ又は複数の方法による製品に存在する。
【０１６１】
前述の実施形態の任意の実施形態では、好ましくは、回路は、成形ゾーン又は加圧ゾーンの通過後にまた駆動による取り込みの前に鋳型又は成形工具の間にギャップを提供するようなものである。
【０１６２】
ボルスタ、ブロック、又は本明細書に使用されているような鋳型という用語は、成形面が、例えば、それらに締結することによってそれらに依存しているか、あるいはそれらの一体部分であるか、また多数部分の構造のボルスタ、ブロック又は鋳型を含むかどうかに関わらず、特に説明しない限り交換可能に使用することができ、またガイドトラックによって直接又は間接に案内される回路に沿って移動する工具を意味すると考えられる。
【０１６３】
本明細書で使用されるような「備える（ｃｏｍｐｒｉｓｉｎｇ）」という用語は、すなわち当該用語を含む本明細書の記述を解釈するとき、各々の記述で当該用語で始められる特徴に少なくとも部分的に「存在する（ｃｏｎｓｉｓｔｉｎｇ）」ことを意味し、すべては存在する必要があるが、他の特徴も存在することができる。
【０１６４】
本発明はまた、個別に又は集合的に、本出願の明細書に参照されるか又は示された部分、要素及び特徴、及び前記部分、要素又は特徴の任意の２つ以上のすべての組み合わせに広範囲に存在すると言うことができ、及び本発明が関係する関連技術で公知の等価物を有する特定の完全体が本明細書で言及される場合、このような公知の等価物は、個別に記載されたかのように本明細書に組み込まれていると考えられる。
【０１６５】
個々の成形工具を規定するために以下に総称的に使用される用語は、それが単数又は複合（２つ以上の部片）構造（例えば、成形面の工具が接続される前記ガイドで動作するボルスタ）であるかに関わらず、「ブロック」という用語である。同様に、「ブロックセット」は総称的に「鋳型セット」と等価である。
【０１６６】
右側及び左側について言及したが、これは、特に指摘しなければ交換可能であることができる。同様に、装置及び方法は、左から右に移動するように示されているが、これは慣例に過ぎず、装置及び方法は、右から左へ等しく移動でき、また単に図面のページに示したように、配向を表すために使用されている。
【０１６７】
本明細書で、水平及び垂直という用語が図面に使用されているか又は示されているが、必要に応じて指摘しない限り、装置及び機械の配向は、例えば、垂直、しかしそれに限定されない任意の角度、あるいは水平又は垂直までの任意の角度であることができるか、あるいは範囲又は角度にわたって変化してもよいことを理解すべきである。
【０１６８】
次に、添付図面を参照して、本発明の好ましい実施形態について説明する。
【発明を実施するための最良の形態】
【０１６９】
本明細書に使用されているように、「及び／又は」という用語は、「及び」又は「又は」、あるいはその両方を意味する。
【０１７０】
本明細書に使用されているように、名詞の後に続く「（ｓ）」という用語は、適切であることに応じて、当該名詞の単数形又は複数形を含む。
【０１７１】
我々は、使用時に連続的に又は継続的に２セットの工具部品（行列の成形工具（１１））を移動させて（以下に「連続的な」工程と称される連続的又は停止の開始運動（ｃｏｎｔｉｎｕｏｕｓ  ｏｒ  ｓｔｏｐ  ｓｔａｒｔ  ｍｏｔｉｏｎ）に関わらず）、成形工具（１１）を相補的な成形工具（１１）と協働状態にし、次に、成形されるべき１つ又は複数の材料に必要な公差まで、協働する成形工具を圧力に対抗して加圧するか又は保持し、次に、成形工具を分離するある種の成形装置（１）の提供に利点を認識する。このような工程は、制御された温度で行われることがある。
【０１７２】
成形装置（１）は、一般に、上方成形面（２３）を支承し、形成及び／又は成形する第１の成形工具セット（又は上方鋳型セット）（３）と、第２の成形工具セット（又は下方鋳型セット）（４）とから構成される。下方鋳型セット（４）は、第２の成形工具セットの１つ又は複数のガイド（６）で動作することができ、第１の鋳型セット（３）に調整可能に近接して位置する。下方鋳型セット（４）は、下方成形面（２４）を支承し、形成し及び／又は成形することが可能である。
【０１７３】
上方鋳型セットと下方鋳型セットとの間に、上方成形面（２３）と下方成形面（２４）の対向面によって形成される連続成形領域が形成される。成形面（２３と２４）は、示したように機械方向ＭＤに移動する。好ましい実施形態では、上方鋳型セットは、第１の横断方向軸線（１３）を有する。下方鋳型セットは、第２の横断方向軸線（１４）を有する。上方及び下方の鋳型セットが使用される間、これらは相対的な意味でのみ理解されるべきであり、また機械方向は示したように水平又は垂直であることが可能であり、横断方向軸線は、水平（及び平行）であると示しているが、機械方向の周りの任意の角度であることが可能である（機械方向が垂直、水平又は他の任意の角度であるかどうかに関わらず）。選択的に、第１の横断方向軸線（１３）は、第２の横断方向軸線（１４）に対し９０度であることが可能である。例えば、第１の横断方向軸線は水平でもよく、第２の横断方向軸線（１４）は垂直に配向してもよい。
【０１７４】
本発明の基本的な動作原理は、成形工具セット、すなわち第１の成形工具セット（３）及び第２の成形工具セット（４）の２つの協働回路の存在である。成形工具（１１）は、第１及び第２の成形工具セットのガイド（それぞれ５と６）によって少なくとも部分的に案内され、又は当該ガイドで直接動作することが好ましい。好ましい一実施形態では、成形工具（１１）は大部分一体である。他の好ましい実施形態では、成形工具（１１）は、搬送工具（２５）及び表面工具（２８）の複合体である。別の好ましい実施形態では、成形工具は、例えば、加圧成形ゾーンにおけるガス又は温度の通過を可能にするための空洞を有する。
【０１７５】
成形工具の２つの構成要素は、必要な場合、熱膨張を可能にする任意の便利な方法で取り付けることが可能である。これについては、さらに説明する。
【０１７６】
搬送工具（２５）は、そのそれぞれのガイドトラック（５と６）上で動作し、また表面工具（２８）は、少なくとも加圧成形ゾーンの対向する成形工具と協働して、前記成形工具の間の材料を成形する。
【０１７７】
適用要件に応じて、１つのみのガイド又は２つ以上のガイドがあってもよい。成形工具セットの少なくとも１つが上方又は第１の成形工具セット（３）として示され、加圧成形ゾーン（２７）の前のリードインゾーン（２６）で動作する。これらのゾーンの各々の配置は、図２に示され、図３に詳細に示されている。
【０１７８】
好ましい実施形態では、多数のリードインゾーン、及び一方の成形工具セットの最終の加圧成形ゾーンに向かって下がる加圧成形ゾーンがある。このことは、図３ｃに示されており、この図には、第１のリードインゾーン２６Ａ、第１の加圧成形ゾーン２７Ａ、次に引き続くリードインゾーン２６Ｂ、次に引き続く加圧成形ゾーン２７Ｂがある。必要に応じてさらに多くあってもよい。同じことがリードアウトゾーンに当てはまる。同様に、装置にこのような１つのセットのみの多数のリードイン加圧成形ゾーンがあってもよいか、あるいはこのような多数のセットがあってもよい。
【０１７９】
本発明は、リードインゾーン（２６）を利用し、この場合、成形工具（１１）が互いに平行になった後（例えば成形工具ＤとＣ）、次に、成形工具（１１）は、傾斜した通路で他の対向面（同様に他の成形工具セットの成形工具から形成される）に向かって移動する。同様に成形工具（１１）が機械方向ＭＤに並進するとき、リードインゾーン（２６）の隣接するブロックＤとＣの間の相対運動のみが、対向成形面に向かう平行運動である。このようにして、利用可能な開口はない（図３Ａの従来技術のニップ箇所Ａと同じように）。
【０１８０】
このようにして、完成品内に付与可能な鋳型線（ｍｏｕｌｄ  ｌｉｎｅ）は最小であり、残余の製品がバンチ（ｂｕｎｃｈ）するか又は内部に成形するための空洞又は開口はない。結果として、連続的な成形面が加圧成形ゾーン（２７）に与えられる。結果として得られる加圧成形ゾーン（２７）の例が図４に示されており、第１の成形工具セットのガイド（５）で動作することが可能な第１の成形工具セット（３）の個々の成形工具（１１Ａ）を明らかに見ることができる。同様に、下方成形工具（１１Ｂ）は第２の成形工具セットのガイド（６）で動作する。
【０１８１】
次に、下方成形工具（１１Ｂ）は下方成形面（２４）を成形する。図４のこの特定の実施形態に示したように、下方成形工具は、１８０°だけ（又は成形工具の半分だけ）位置がずれているが、成形工具の同時性は用途に左右される。共に、上方協働工具１２Ａは、下方協働工具１２Ｂと１２Ｃと共に１セットの協働工具を形成する。
【０１８２】
図３〜図６に示した実施形態では、上方又は第１の成形工具セット（３）は、第１の成形工具セットのガイド（５）で動作する。第１の成形工具セットのガイド（５）は、好ましくは第１の成形工具セット（３）のいずれかの側面のガイドから構成される（しかし、このガイドは成形工具の任意の外面を支承することが可能である）。
【０１８３】
ガイド（５）の各々の内部の対向面に、ガイドトラック（２９）が示されている。リードインゾーン（２６）の外側の当該領域の周りのガイドトラック（２９）、（及び本実施形態では、リードアウトゾーン（３０））は、実質的に成形工具用の単一のトラックである。リードインゾーンで再びリサイクルされるべき加圧成形（及びリードアウト）ゾーンからの退出を除き、リードインゾーン及びリードアウトゾーンの外側の成形工具の相互の相対運動は必要でない。成形工具がガイドに捕われる一実施形態では、成形工具は互いに、又は成形工具が協働する工具に捕われないことが認識される。駆動手段の影響を受ける場合を除いて、成形工具は、ガイドトラック（２９）に沿って移動できる。（これについては、さらに詳細に後で説明する）。好ましい実施形態では、図示したように、リードインゾーン（２６）、加圧成形ゾーン（２７）、さらに本実施形態ではリードアウトゾーン（３０）がある。リードアウトゾーン（３０）は、成形工具が傾斜通路で対向する１つ又は複数の成形面から離れて移動し、かつ、このゾーンの隣接する成形工具の間の相対運動のみが、機械方向に対し直角のかつ１つ又は複数の対向成形面から離れる移動である点で、リードインゾーンの逆であると理解される。
【０１８４】
以下、リードインゾーンについて説明する（別に指定がない限りリードアウトゾーンは逆の操作であると理解される）。ガイドトラック（２９）の断面が図９に示され、図１１に詳細に示されている。理解できるように、成形工具（１１）の前方ランナ（３３）が位置する比較的上方のガイドトラック（３１）、及び後部ランナ（３４）用の比較的下方のガイドトラック（３２）がある。リードインゾーン（２６）の始まりにおいて、ガイドトラック（２９）は、成形工具（１１）のそれぞれ前方ランナ（３３）及び後方のランナ（３４）用の上方ガイドトラック（３１）及び下方ガイドトラック（３２）内に分岐する（ｄｉｖｅｒｇｅｓ）。このことは、隣接する成形工具（１１Ｄと１１Ｆ）の間のニップ箇所又はギャップを発生しないで、個々の成形工具が下方に又は対向成形面（すなわち、協働する成形工具）に向かって移動することを可能にする。実際に、リードインゾーン（又はリードアウトゾーン）の隣接する成形に対する一方の成形工具の相対運動のみが、対向成形面に向かう運動である（示した特定の実施形態では、これは上方成形工具の下向き運動である）。ガイドの周りでリードインゾーン（２６）の箇所のリードに流れる個々の成形工具の最終結果は、ニップ箇所がリードインゾーン（２６）の前に形成され、その後に、成形工具が機械方向に移動しつつ、成形面のみに向かって互いに対し移動し、その後に加圧成形ゾーン（２７）にあることを示す。このように、成形されるべき材料が成形工具（すなわち、リードインゾーンの）に遭遇する箇所では、材料を捕捉するニップ箇所はない。
【０１８５】
整備目的及び／又は成形工具の形状等を変更するため、両方の上方及び下方のガイドに取り出し箇所（３５）があり、これにより、個々の成形工具又はセット全体を取り除き、整備し、あるいは変更又は追加できるように、ガイドトラック（２９）へのアクセスが可能である。あるより低い又は送り速度用途の上方ガイドのため、上方ガイドの上方領域は、成形工具の取り除き及び再挿入を可能にできる。
【０１８６】
さらに、示したようなガイドは、第１のガイド部片（３６）及び第２のガイド部片（３７）である２つの部片であることが可能であり、図６に示したように締結具を介して接合されることが好ましい。ガイドトラックの２つの部片により、第１のガイド部片（３６）と第２のガイド部片（３７）との間にガイドトラック（２９）を継続させる接合部分を中間に加えることによって、ガイドトラックの長さの追加又は縮小が可能である。
【０１８７】
下方成形面（２４）は、巡回して、搬送表面を形成するコンベヤ式チェーン又は搬送システム上の成形工具によって簡単に成形することができる。このようなシステムは、本発明の目的にかない、また工具を回路の一方の端部から他方の端部に運ぶべき場合、本発明によって達成される。これらのブロックが連続的な成形面（すなわち、ブロックのニップ箇所の後）を成形する前に、成形されるべき材料がこれらのブロックに適用されない場合、何らの材料も、形成されることが可能なニップ箇所に入ることができない。このような構造では、下方鋳型セットの軸線（１４）は上方成形セットの軸線に対し９０度であり得る。例えば、下方鋳型セットは、構造的に「手荷物コンベヤ」と同様でもよく、成形されるべき材料を加圧するために下面に向かって移動する上方成形工具セットと協働する工具を単に提示している。
【０１８８】
代わりに、成形工具の２つの傾斜した通路があり、すなわち上方成形工具セットについて１つ、また下方成形工具セットについて１つがあるように、上述のようなリードインゾーンがあってもよい。
【０１８９】
任意の１つの個々の成形工具では、前方ランナ（３３）は、機械方向で観測したとき、後部ランナ（３４）よりも成形工具からの間隔が小さい。他の実施形態では、この構成を逆にすることが可能である。これにより、図１１に示したように、リードインゾーン及びリードアウトゾーンの下方（３２）ガイドトラック内の上方ランナ（３１）及び下方ランナ（３４）の前方ランナ（３３）による別個の係合が可能である。
【０１９０】
したがって、その最も単純な動作で、成形装置（１）は、第２の成形工具セット（４）と同期して動作する第１の成形工具セット（３）を有する。成形工具セットは同相でもよく、あるいは図４に示したように非同相でもよく、この図では、個々のブロックは１８０°だけ非同相であることが示されている。特定の実施形態では個々のブロックが噛合することが示されているが、個々のブロックの主な目的は、成形工具が相補的であるか、互いに噛合するか、あるいは互いの間に大きなキャビティゾーンを残すか否かに関わらず、協働することであることを理解すべきである。
【０１９１】
第１の駆動装置（７）は、加圧成形ゾーンとリードインゾーンとの界面に配置される。成形工具との相互作用によって、駆動手段は、回路の周りで成形工具を推進させる。一実施形態では、駆動手段は、駆動手段上のピニオン（３８）を介して成形工具を駆動する電気モータ（同様の推進手段、例えば油圧式、電磁気式等）であり、駆動手段は、成形工具の各々に、例えば成形工具の背部に存在するラック（３９）と噛合する。ここで、駆動手段はリードインゾーンと加圧成形ゾーンとの界面にあることが示されているが、同様に回路の任意の箇所にあってもよい。別の二次駆動手段（５８）が、成形工具を第１の駆動装置（７）に駆動するために存在してもよい。このような二次駆動手段は、第１の駆動装置に通じるガイド及び成形工具の摩擦を克服するために必要であるかもしれない。同様の第２の二次駆動装置（５９）が第２の一次駆動装置（８）を補助するために存在してもよい。
【０１９２】
さらに、好ましい実施形態に示したような成形工具は、ガイドトラック（２９）の案内を除いて互いに対し自由である。
【０１９３】
同様に、第２の駆動装置（８Ａ）は、第２の鋳型セットのガイド（６）の周りで第２の鋳型セット（４）を駆動するために存在する。第２の位置（８Ｂ）が示されているが、好ましい実施形態では、第２の駆動装置は位置（８Ａ）に置かれる。このことは、下方又は第２の成形工具セット（４）にリードインゾーンがある場合、重要である。当該の特定の実施形態では、第２の駆動装置（８Ａ）は、リードインゾーンと、駆動装置が駆動する成形工具セットの加圧成形ゾーンとの界面に配置される。それぞれの鋳型セットの同時性が制御される。このことは、それぞれのガイドトラックの各々のセンサ手段を比較することによって達成される。次に、駆動手段の各々の速度が、それぞれの鋳型セットの同時性の遅れ又は進み（ｌａｇ  ｏｒ  ｌｅａｄ）があるかどうかに応じて速められるか又は遅くされる。次に、駆動装置の制御は、駆動装置を制御するコンピュータ又はプログラム可能論理制御装置を介して行うことが可能である。このような制御は、例えば駆動装置がＡＣモータである場合、例えばＡＣモータ制御装置を介して行うことが可能である。他の制御装置が、ＤＣ式、油圧式、磁気式等のような他の駆動技術に適切である。
【０１９４】
リードインゾーン、加圧成形ゾーン及びリードアウトゾーンを通して速度が設定されるが、成形工具（５０）は、ブロック不整列ゾーンからの復帰の際により速く移動し、再びブロック整列ゾーンに戻って配置される。このことは、存在する成形工具の全長よりも、全体の回路長さが大きい場合に行われることがある。さらに、前述したように、成形工具を取り除くことが可能であり、他の成形工具を適所に配置することが可能である。２つの協働する成形工具セットの内、第１の成形工具セットが基準駆動装置となり、それから他方の鋳型セットの速度が連動させられる。次に、２つの成形工具セットの同時性が、前述のようにセンサ及び制御によって維持される。セットの間の非同時性がある設定点を越えると、このことを操作者に示すために警告信号を発生することができるか、あるいはこのような同時性の超過が工程又は製品を損傷すると予想される場合、システムを完全に停止することが可能である。
【０１９５】
第２の成形工具セット（４）の位置に対する第１の成形工具セット（３）の相対位置は、２つの成形工具を離間させるか（例えば、それらのそれぞれのガイドの相対運動によって）、共により接近させるか、あるいは一方又は他方から取り除く（例えば、整備のために）ことができるように制御される。このことは、第２の成形工具セットに対し第１の成形工具セットを下げるか、あるいは第１の成形工具セットに対し第２の成形工具セットを持ち上げる油圧ラム又は同様の配置手段によって達成される。このようにして、追加の圧力を適用可能であり、圧力は、最終製品が何を必要としているかに応じて、工程中に又は行程毎に変更することが可能である。対向面の間のギャップ（「日光開口部（ｄａｙ  ｌｉｇｈｔ  ｏｐｅｎｉｎｇ）」）は、大型機械で０ｍｍ〜１０メートルに変更することが可能である。
【０１９６】
材料それ自体が加圧成形ゾーンに圧力を発生する動作では（例えば材料それ自体の膨張又は反応によって）、必要な圧力を発生するために、加圧成形ゾーンの対向面の間の閉鎖が固定される。
【０１９７】
本明細書で回路及び連続という単語が使用されるが、これらは、工程のみを指すと理解されるべきである（工程は、開始される停止であるかもしれないが）。
【０１９８】
成形工具それ自体は、現在あるよりも多くの成形工具が成形装置に格納されるように、手動の手段又は機械手段によって不連続に回路から取り除くことが可能である。このことは、成形工具の種類に関する要件が工程を通して変化する、冷却又は加熱が多少必要とされる、あるいは機械を通過する製品の形状が変化する場合に当てはまり、例えば、工程は、同様に変化する送入材料の１つの種類から他の種類に関し変わることがある。
【０１９９】
成形工具（１１）（一体であるか又は複合体であるかに関わらず）は、それらの縁部に摩耗プレート（４２）を有する。摩耗プレートは、硬化された又は耐摩耗性の材料（例えば硬化鋼）であり、成形工具用の相互の摩耗界面として機能する。摩耗プレートは、ゾーンを通して滑らかな移行部を可能にするようにそれらの下方隅部で丸くされる。
【０２００】
成形工具（１１）は、ゾーンの各々を通した移動を再び補助するために存在する非常に小さなブロック面取り部（４３）を有してもよい。成形工具（１１）がガイドトラック（２９）で動作するために、特に、上方ガイドトラック（３１）と下方ガイドトラック（３２）とを区別するために、ガイドトラックフォロワ（２２）が上方ガイドトラック（３１）、又は下方ガイドトラック（３２）に係合すべきかどうかに応じて、ガイドトラックフォロワ（２２）は、ブロックから横方向外側に異なる長さだけ変位させられる。好ましい一実施形態では、後部ランナ（３４）は、後部ランナ（３４）が２つのガイドトラック（２９）（上方ガイドトラック（３１））からより遠くに係合するように、前方ランナ（３３）のそのブロック（４５）の側面から遠くに変位させられることが好ましい。
【０２０１】
これは、当然、１つのみの実施形態であり、ガイドトラックフォロワ（２２）は、さらに、特定のガイドトラック（２９）の設定に応じて前部又は後部で内部又は外部にあってもよい。ブロック（１１）上の異なる高さのガイドトラックフォロワの複数の例は、図１６ｂに示したように一線でもよく、あるいは図１６ｃと図１６ｄに示したように一線でなくてもよく、純粋にガイドトラック（２９）の配置に左右される。
【０２０２】
搬送工具（２５）と表面工具（２８）とから構成される場合の成形工具（１１）は、温度変化を受けさせることができる。搬送工具及び表面工具が異なる材料（例えば搬送工具では鋼及び表面工具ではアルミニウム）から製造される場合、異なる率の熱膨張のため、２つの工具の間に相対運動がある。２つの工具構成要素が剛性的に互いにボルト締めされた場合、得られる構造の曲がり又は反り又はバッディングが生じるであろう。したがって、膨張界面（４６）が搬送工具（２５）と表面工具（２８）との間に存在する可能性がある。しかし、このような界面には、搬送工具（２５）及び表面工具（２８）の間で力を伝達できるように、それらの２つのキーイングイン（ｋｅｙｉｎｇ  ｉｎ）があることが好ましい。
【０２０３】
好ましい一実施形態では、キーイングは、図１９に示したように、機械方向に対し平行のキーイングイン（４７）及び機械方向に対し直角のキーイング（４８）から構成される。キー（４８）と（４９）は、搬送工具（２５）から延び（一実施形態で）、表面工具（２８）の相補的な開口と係合する。表面工具（２８）の開口の大きさは、平行のキーイング（４７）に対する機械方向に対し平行の次元で僅かにより大きく、また直角のキーイング（４８）について機械方向に対し直角の次元で僅かにより大きくてもよい。例えば、幅１５０ｍｍ、周囲８０℃である工具では、０．４ｍｍの膨張を考慮する必要がある。
【０２０４】
最終結果は、表面工具（例えばアルミニウムで構成される）が、熱的な影響下で搬送工具（２５）に対し膨張することがあり、必要な機械力を伝達する程度に十分になおキーイングインされることである。
【０２０５】
同様に、同一の回路の隣接する成形工具の間に接続手段があってもよい。接続手段は、例えば、任意のゾーンの隣接する成形工具の間にギャップが存在しないことを確実にするために、磁気式、機械式（例えばリニア軸受又はダブテール）等でもよいが、それらに限定されない。
【０２０６】
成形装置（１）はまた、送入材料を導入し、次にある状態が達成される間に機械方向の運動を一時的に停止し、次に再始動可能であることによって断続的に駆動してもよい。したがって、連続的という用語は、実際に、工程における成形工具の連続的な利用可能性を指し、必ずしも連続運動を示唆しない。直線、湾曲等に関わらず、所望の任意の通路であることが可能なリードインゾーン（及びリードアウトゾーン）について言及したように、またこのようなある状態では、任意の１つの成形工具が経験する「落下（ｄｒｏｐ）」は、その見かけの厚さよりも大きくてもよい。この状態では、成形工具の延長部（５２）は、このような延長部を必要とする成形工具（５０）の側に存在することが可能である。ある状態（例えば図５ｃによって代表される）では、ブロック界面（４４）が連続ブロックの間に維持されることを確実にするために、ブロック（５０）の両側の成形工具延長部（５２）全体に対する要件がある可能性がある。
【０２０７】
理解できるように、ガイドトラック（２９）が完全又は半完全な回路から成り、フォロワ（２２）がガイドトラック内に位置するとき、フォロワ（２２）は、フォロワがガイドの一方の側面から他方の側面に反転するときに特に重力の作用下で、ガイドトラック（２９）内で摺動又は回転等を行うことがあるような公差が生じる。結果として（前述のことが一例として使用される）、成形工具（１１）が、例えば、上方ガイドトラック５の上方部分に沿って、成形工具の整列ゾーン（４９）に向かう落下箇所に向かって移動しているとき、成形工具は、成形工具の整列ゾーン（４９）内に移動するにつれてガイドトラック（２９）の下面を支承し、成形工具は、ガイドトラック２９の片側又は両側に、次にガイドトラック（２９）の下面に軸受箇所を変更する。成形工具が、例えば重力の作用下でブロック整列ゾーンを通してリードインゾーン（２６）内に移動するにつれ、成形工具はガイドトラック（２９）の下面を再び支承する。しかし、成形工具が加圧成形ゾーンに入るにつれ、成形工具が上方成形面（２３）と下方成形面（２４）との間に位置する送入材料に圧力を付与するので、上方成形工具セットは上向きに押圧され、フォロワ（２２）はガイドトラック（２９）の上面を支承する。したがって、リードインゾーンからリードインゾーンに戻る回転経路にわたって、成形工具（１１）、特にフォロワ（２２）がトラックの異なる部分を支承することを理解できる。
【０２０８】
示したような成形装置（１）は、任意の特定の配向にあることが可能であり、前述の説明の上方及び下方の使用は、相対的な説明目的のために過ぎない。重力により成形工具（１１）を成形工具整列ゾーン（４９）内に送ることができない状態では、成形工具（１１）が必要とされるゾーンに成形工具を付勢するために、必要に応じて、別の駆動装置（例えば二次駆動装置５８と５９）が存在してもよい。
【０２０９】
リードアウトゾーンがなく、成形工具が単に離れて回転する状態で、少なくとも、成形工具の各々の前縁及び後縁の面取りの存在が必要とされる（成形工具整列（４９）及び／又は不整列ゾーンと同様）。このような面取りの存在は、上方のそれらの他の成形工具（下方トラックの成形工具との関係）又は下方のそれらの成形工具（上方トラックの成形工具との関係）との、成形工具の摩擦又は干渉を防止する。
【０２１０】
言及したように、成形工具は温度変化を受けることが可能である。その結果、成形工具が動作するガイドトラックに対し、成形工具の互いの膨張又は収縮があり、同様に成形工具構成要素の膨張又は収縮がある。したがって、最終結果は、利用可能な成形工具の全長の増大及び減少である。許されるガイドトラック長さの変化がない場合、成形工具の全長はガイドトラックの長さを越え、したがって損傷が起きるであろう。したがって、公差は、このような膨張及び／又は収縮を受け入れるために、成形工具（及び／又はフレーム）の予想される合計の熱膨張又は収縮よりも大きい。
【０２１１】
ある用途では、隣接する鋳型の間に高い締付圧力を獲得する必要がある。このような高い締付圧力、例えば２６０ｋｇ／ｃｍ2（約２５ＭＰａ）の締付圧力は、加圧成形ゾーン２７に又はその近くに射出成形工程が存在する箇所で必要であるかもしれない。いくつかの用途では、前方ランナ（３３）及び後部ランナ（３４）は、それらのそれぞれのガイドと共に強化してもよい。しかし、高い締付操作では、これは嵩張り、高価であり、高い締付圧力は加圧成形ゾーン２７のみに必要とされるのでほとんど不必要である。このような力はまた、成形工具のガイド、したがってフォロワに付与できる（例えば油圧式、機械式、空気圧式等によって）力を越える可能性がある。
【０２１２】
協働する成形工具の間に高い締付圧力が必要とされる好ましい実施形態では、圧力プレート１００が加圧成形ゾーン２７に存在する。好ましい実施形態では、２つのこのような圧力プレート、すなわち頂部圧力プレート１００及び底部圧力プレート１０１がある。これらのプレートは、加圧成形ゾーン２７の実質的な部分内に少なくとも位置し、また好ましい実施形態では、その全体にわたって延びる。
【０２１３】
圧力プレートは、下方成形工具（１１Ｂ）の下面と上方成形工具１１Ａの上面とを支承する荷重軸受１０２とから構成される。好ましい実施形態では、荷重軸受（１０２）は、図２４Ａに示したような重なり合う列構造で配置される。これにより、荷重軸受の上又は下を現在通過する成形工具（１１）に対し一定かつ実質的に均一な圧力が提供される。他の実施形態では、圧力プレート（１００）の実質的な領域にわたって１つの大きな連続的な荷重軸受があってもよく、あるいは２つの長い薄い列又は任意の組み合わせの高荷重の適用軸受があってもよい。他の実施形態では、圧力プレートは、スライド又は液体（例えば水のような非圧縮性流体）に関わらず、荷重軸受面によって提供することが可能である。
【０２１４】
図示した実施形態では、荷重軸受（１０２）はプレート（１００）、（１０２）内に凹設されて、プレートに低い形状を与える。圧力プレートの主な要件は、成形工具に適用されるために必要な荷重に耐える程度に十分に剛性であることである。他の実施形態では、圧力プレートは、必要ならば、列の各々について別個でもよいか、あるいは成形工具のいずれかの側面の成形工具セットのガイドの部分でもよい。他の実施形態では、さらに、圧力プレートは、ガイドの内側フレームによって支持されてもよい。
【０２１５】
使用時、成形工具（１１）は、ブロック整列ゾーン４９に入り、次に、前述したようなリードインゾーン２６に入る。成形工具が加圧成形ゾーン２７に入るにつれて、成形工具は１つ又は複数の荷重軸受１０２に出会う。圧力プレートが存在しない場合、ブロックのランナは、ガイド内で動作して圧力を鋳型に印加するであろう。しかし、そこの圧力プレートにより、ランナはガイドから垂直に離れて移動される。
【０２１６】
下方成形ブロック１１Ｂのランナは、底部圧力プレート１０１の上向きの付勢によってガイドから離れて持ち上げられる。上方成形工具１１Ａのランナは、頂部圧力プレート１００の下向きの付勢によってガイドから離れて下げられる。上方成形工具及び下方成形工具が加圧成形ゾーンで互いに出会うにつれ、それら（及び成形されるべき材料６２）は、頂部圧力プレート１００と底部圧力プレート１０１との間に本質的に「挟まれる」。
【０２１７】
次に、成形工具に及び加圧成形ゾーン２７で成形されるべき材料６２に印加されることができる力又は圧力は、圧力プレート１００と１０１に印加することができる力、及び圧力プレートが耐えることができる圧力の関数に過ぎない。
【０２１８】
成形工具１１の移動を補助するために、圧力プレートは１００と１０１は斜めでもよい。例えば、頂部圧力プレート１００は、加圧成形ゾーン２７で上向きに、又はそこへのリードインゾーン２６に向かって斜めにしてもよい。同じことが、加圧成形ゾーン２７からリードアウトゾーン（３０）への移行部で行われることが可能である。これにより、成形工具の入出が補助され、また圧力が徐々に成形工具に印加される。同様に、底部圧力プレートは、リードインゾーン及びリードアウトゾーンで下向きに又はそこに向かって斜めにしてもよい。
【０２１９】
加圧成形ゾーンにより大きな圧力を生成する別の方法は、高圧を生成するために加圧成形ゾーンにわたって互いに引き合う磁気素子を含んでもよい。隣接する成形工具を共にロックするために、同じことを達成することができる。協働する及び／又は隣接するブロックの間に必要な力を達成するために、公知の方法で磁力を変更することができる。
【０２２０】
本発明の成形装置１の別の適用では、互いに非常に正確に整列された隣接する及び／又は協働する成形工具の整合を維持する必要がある。加圧成形ゾーンに沿って、又はそのいずれかの側面で、材料に付与されるべき形状のインデックスが必要である場合、これは望ましい。このような整列は、互いに垂直かつ水平（機械方向ＭＤに対し直角）のセット内の隣接する成形工具、同様に加圧成形ゾーンの上下で協働する成形工具であることができる。いくつかの状況では、両方の連続する鋳型２５Ｂと２５Ｃを共にロックし、ならびに場合に応じて、下又は上でそれらの鋳型が協働する鋳型をロックすることが望ましい。
【０２２１】
一形態のこのような整列は、レーザ及び格子マーキング（ｇｒｉｄ  ｍａｒｋｉｎｇｓ）を使用して、あるいは加圧成形ゾーンの成形工具を測定しかつそれらを互いに関係付け、次に成形工具の相対位置を調整することによって（例えば駆動装置又は１つ以上の成形工具又は成形工具セットを前進させるか減速することによって）達成することができる。
【０２２２】
好ましい実施形態では、このような整列は、隣接する成形工具を物理的に共にロックすることによって達成される。これは、１つの次元で、例えば図２５に示したようなスロット１０６内のピン１０５のみをロックするロックによって達成することができる。スロットは、その前方の成形工具に向かって開き、スロットの幅方向の軸線は水平に配向される。スロット１０６の幅は、ピン１０５の直径の幅と実質的に同一である。したがって、図２５に示したようなピン及びスロットは、互いに対し垂直にのみ移動でき、機械方向ＭＤに対し横断的に剪断（ｓｈｅａｒ）できない。
【０２２３】
連続する成形工具１１Ａと１１Ｄの係合を可能にするために、ピン１０５の長さは、スロット１０６がリードインゾーン２６の曲線軌跡から離れてさらに開かれない限り、スロット１０６の深さよりも長いことは不可能である。
【０２２４】
図２６Ａに示したのと同様に、上の１１Ａ及び下の１１Ｂの互いに協働する成形工具は、実質的に同一の直径の孔１０７に位置するピン１０５によって共にロックされる。このようにして、協働する成形工具は、水平面で（すなわち加圧成形ゾーン２７の平面で）互いに対し移動できない。
【０２２５】
ロックが必要とされるこのような例では、ピンの頭部、又はテーパ部は、それによってロックされるべき孔又はスロットとの容易な噛合を可能にするように成形される。さらに、スロット１０６又は孔１０７はまた、より容易な初期噛合を可能にするように成形することが可能である。
【０２２６】
最も好ましい実施形態では、連続しまた協働する成形工具の間のロックシステムは、図２６ＡとＢに示したようなモールステーパを有する。テーパ部は、加圧ゾーンの締付力又は連続する１つの成形工具から他の成形工具への駆動力によって、容易な初期噛合を可能にし、２つの成形工具が圧力下に置かれるときに緊密にロックする。
【０２２７】
使用方法及び製造工程
装置は、機械方向ＭＤを有し、かつ少なくとも１つの成形工具回路に、成形工具整列ゾーン（４９）、リードインゾーン（２６）、加圧成形ゾーン（２７）の重要なゾーンを有する。選択的に、リードアウトゾーン（３０）も当該回路に存在する。他の実施形態では、リードインゾーンを１つの回路に設け、リードアウトゾーンを他の回路に設けてもよい（例えば、リードインゾーンは上方成形工具回路にあってもよく、リードアウトゾーンは下方成形工具回路にあってもよい）。なお他の実施形態では、両方の回路にリードインゾーンがあり、また回路のどれにもリードアウトゾーンがなく、回路の一方又は両方にリードアウトゾーンがある。典型的に、リードアウトゾーンの直後に、成形工具不整列ゾーン６３がある。
【０２２８】
このようなシステムの速度は、ちょうど毎分０メートル〜毎分１０００メートルまでの範囲であることができる。好ましい実施形態では、この範囲は、毎分２〜１００メートルの間にあり、正確な設定点は、材料の処理と共に端部送り材料（ｅｎｄ  ｆｅｅｄ  ｍａｔｅｒｉａｌ）の特性に左右されるであろう。
【０２２９】
加圧成形ゾーン２７は、名前が示唆するように、２つの対向する成形面（それらの間に成形キャビティを形成する）の間に印加される少なくとも圧力を有し、また適用される温度又は温度特性をさらに有することが可能であり、これは、キャビティ内に結果として得られる製品を加熱するか又は冷却するために適用される。装置（及び少なくとも加圧成形ゾーン）の熱制御は、温度制御システムによって達成される。成形工具をある温度（周辺を越えるか又は未満であるかに関わらず）にし、周辺の熱流体を成形工具の周りに維持し、また加圧成形ゾーンの温度特性制御のための別個のシステムがあってもよい。代わりに、別個のシステムは、異なるゾーン及び作動流体を制御する１つのシステムでもよい。温度を制御するために使用することができる作動流体は、水、空気、ガス、油又は当分野で公知の同様の作動流体であることができる。温度制御システムはまた、当分野で公知のシステムである。
【０２３０】
温度は、制御すべき領域に又は領域を通して作動流体を噴霧するか又は吹き込むことによって制御することが可能である。成形工具用に、成形工具の温度を制御するための作動流体を受容できる熱回路が、成形工具内にあってもよい。他の実施形態では、熱制御は、電気的に、例えばヒータ要素又はペルチエ効果冷却要素によって達成してもよい。例えば、成形工具が回路を移動するとき、成形工具は、様々な熱流体供給デバイスと係合して、熱流体を成形工具のポート内に供給し、成形工具の内部空洞を満たすことができる。
【０２３１】
成形されるべき材料６２は、例えば下方成形工具面に押し出すことによって供給することができ、前記加圧成形ゾーンまでの任意の箇所に配置することが可能である。次に、材料自体の膨張によって、あるいは材料が加圧成形ゾーンの縮小空間に入って、材料の成形を行うことによって、圧力を材料に生成することが可能である。他の方法では、別個の材料ショット（ｄｉｓｃｒｅｔｅ  ｓｈｏｔｓ  ｏｆ  ｍａｔｅｒｉａｌ）６２を成形面に置き、その後に加圧成形ゾーンに入ったときに成形することができる。
【０２３２】
成形装置（１）へのいくつかの様々な送入材料６２があるかもしれないが、これらの少なくとも１つは、加圧成形ゾーンによって影響されるか又は作用されることができなければならない。このような作用は、圧力及び／又は熱の作用によって促進され、生成されるか、又は形成されることが可能であるが、最終結果は、少なくともその１つの送入材料が、それに付与された成形の変化を有することである。例えば、薄板のような延性材料をその上下の様々な送入材料と共に送ることが可能であり、このように、金属材料又は展性材料が加圧成形ゾーンで所望の形状に成形され、また少なくともその１つの送入材料（この場合、薄板）が達成されることを前提として、他の送入材料が加圧成形ゾーンによって影響されるか否かに関わらず、本発明の目的が達成される。
【０２３３】
成形装置（１）内に送ることが可能な別の例の材料は、次の通りである。ポリスチレン、高衝撃ポリスチレン、ポリカーボネート、アクイロブタルスチレン（ＡＢＳ）、ナイロン、及び結晶ポリマのみに限定されないすべてのアクリルのような、しかしそれらに限定されない様々な熱成形可能な材料を使用することが可能である。アモルファスポリマのような、しかしアモルファスポリマに限定されない様々なより薄いプラスチック材料を使用することが可能であり、例えば、ポリエチレン（ＰＥ）、低密度ポリエチレン（ＬＤＰＥ）、低低密度ポリエチレン（ＬＬＤＰＥ）、熱可塑性ウレタン（ＴＰＵ）、熱可塑性エチレン（ＴＰＥ）及びポリプロピレン（ＰＰ）でもよい。例えば、１〜２０のポリプロピレン層を機械内に送ってもよく、また適切な鋳型が適所にある状態で、プレート又はボウルを皿状又は形状付き材料等に成形してもよい。ゴム、フェノール等のような別の熱硬化性材料を使用してもよい。
【０２３４】
成形装置（１）で成形可能な材料の基本的な分類は、圧力下でのみ形状を保持するか又は形状を呈するか又は刻印する材料（例えば展性又は可鍛性の金属、プラスチック等）、成形を可能にする熱を必要とする熱可塑性化合物、圧力に追加して熱又はある他の形態の触媒を必要とする成形できる熱硬化性化合物又は成形を可能にするために熱及び圧力を必要とする一般に熱成形可能な化合物である。一例として、ゴムを圧縮成形できるが、また熱を加えてゴム分子のさらなる架橋を促進することも可能であり、この結果、圧力及び熱が取り除かれると、ゴム材料に付与された形状が保持される。他の送入材料では、材料を成形するのは圧力でもよく、また例えば熱硬化性材料の材料、又は触媒としての熱を必要とする２ポット以上（ｔｗｏ  ｐｏｔ  ｏｒ  ｍｏｒｅ）の材料を誘発（ｓｅｔ  ｏｆｆ）する熱でもよい。
【０２３５】
例えば、予備含浸の炭素繊維の送入は、このような１つの送入材料であることができ、圧力の適用により材料が成形され、また熱の適用により材料が誘発されて、マトリックス又は代用物が硬化される。本発明の成形装置（１）の重要な形態の１つは、成形されるべき材料が、その固化状態で非圧縮性である場合、装置に対する損傷を回避するために、また実行可能な洗浄工程を維持するために、送入材料が熱成形ゾーンの前で溶融状態又は半溶融状態又は柔軟状態にあるべきであることである。材料が熱成形ゾーンを通過するとき、適用される様々な温度特性により、製品の成形及び定着を許容するか又は許容することが可能である。
【０２３６】
非圧縮性の材料が溶融状態又は柔軟な状態にされる理由は、非圧縮性の材料に対する圧力の印加により、装置又は材料が移動できないならば損傷が生じることを考慮すれば、比較的明白である。非圧縮性の材料が固化する可能性があるいくつかの例では、上方及び下方の成形面は、例えば、フレームが油圧手段又はベローズ手段を介して互いに対し移動可能である実施形態では互いに対し移動可能でもよく、前記油圧手段又はベローズ手段は、吹き出し又は安全確保の存在を可能にするような圧力に維持され、この結果、ある圧力閾値を越えた場合、油圧手段又はベローズ手段の相対運動が許容される。いくつかの緊急事態では、あるいはある閾値圧力に達した場合、下方ガイド及び成形工具は、圧力を緩和するために上方成形工具に対し低下させることが可能である。
【０２３７】
送入材料の１つが、ポリカーボネート又は固化の際に縮む同様の急速固化プラスチック材料（等）である場合、鋳型からの一般的な引き離しがある。例えば、固化のこの段階に又はその近くで、鋳型が挟持ゾーンを形成し、この結果、固化の際の材料の大体の縮小速度に従って鋳型キャビティ（ｍｏｕｌｄ  ｃａｖｉｔｙ）の低減がある場合、このことに対処することができる。これにより、脆弱な状態で材料がなお固化可能な箇所で材料の支持が補助される。
【０２３８】
固化しているか又は固化していないかどうかに関わらず、圧縮可能な材料では、２つの成形ガイド、すなわち上方及び下方の成形ガイドを互いに対しロックすることが利点であり、材料が固化の際に非圧縮性である場合、上方及び下方の成形ガイドを互いに対しロックしないことが望ましいであろう。この理由は、非圧縮性の材料についてガイドを互いに対しロックすることにより、座屈及び可能な故障と破損がもたらされ、これに対し、圧縮性の材料は変形し、したがって破損をもたらさないからである。
【０２３９】
加圧成形ゾーン（２７）は、一実施形態で、送入材料が成形可能で柔軟な状態にあるように温度が維持される初期ゾーンを有してもよく、その後、当該の溶融又は柔軟な材料の加圧成形が行われ、これに続き、冷却領域が生じる可能性があり、このことが材料の成形及び定着をもたらす。したがって、加圧成形ゾーンは、圧密又は加圧成形ゾーン、成型への圧密又は成型加圧成形ゾーン移行部、冷却及び成形保持ゾーン、その後、リードアウトゾーンへの移行部の解放部として記載することが可能である。加圧成形ゾーンは、少なくとも部分的に、成型保持ゾーンであり、このことを送入材料で達成するために必要な他の様々なパラメータは、例えば、説明した熱、同様に他の化学物質又はガスの添加、冷却、あるいは送入材料で作用するために存在する他の任意の触媒又は条件（ｃｏｎｄｉｔｉｏｎ）として存在することを理解すべきである。
【０２４０】
送入材料は、成形装置（１）に入る前に又は成形装置の部分として前処理を受け、一方、送入材料の使用時に処理のための所望の材料厚さに予め合わせられることが可能である。本発明で成形という用語が使用されてきたが、これは、本質的に３Ｄであると理解されるべきであり、また製品内に積層又は成形されるかどうか、あるいは製品内の材料状態の結果として製品に生成されるかどうかに関わらず、刻印又は単に表面仕上げの適用でもよい。例えば、工程のある箇所の送入材料に導入される化学物質の使用により、異なる材料仕上げをもたらされることがあり得る。
【０２４１】
その最も単純な形態では、成形装置は、上方トラック及び下方トラックを有すると説明してきた。これらのトラックは、当然、同一の長さでもよく、又は等しくない長さでもよい。しかし、例えば、多数の頂部ステーションがある別の形態が考えられ、これは、１つの単一の下方鋳型セットがあり、その上に多数の上方鋳型セットが配置されることを意味する。このさらなる別形態は、再び、多数の頂部ステーションの間に他の工程を間挿して、例えば別の材料、物体等の添加を達成することであろう。このような他の工程は、存在する材料の焼鈍又は封止又は硬化又は当該材料への添加、材料形状の変更又はおそらくは除去（例えばパンチング又は鋳型カット）でもよい。
【０２４２】
再びさらに他の別形態は、他の工程、例えば上方及び下方のトラックから成る完全な成形装置、例えばさらなる焼鈍又は加熱の間の工程が間挿された多数の成形装置であり、その後に、別の成形機械のさらなる工程及び別の成形機械が続く。多数の上方トラック及び単数の下方トラックを取り上げてきたが、当然、反対であることでき、あるいはトラックの部分的な重複等があることできるであろう。さらに、成形装置との関連付け、すなわち、成形工具（１１）と共に移動するか又は移動しないに関わらず射出ユニットの存在があってもよく、このような射出ユニットは、射出成形、ブロー成形又はキャビティの流体（例えば、食物、作動液等）充填を形成するように機能することが可能である。射出ユニットが移動している状態では、射出ユニットは、それが充填されその操作が実行された後に前後に往復し、高速流の速度を提供する多数の射出ユニットがあってもよい。装置はまた、食物、例えば生地及び固化可能な製品を成形するために使用することができる。例えば、アイスクリームを鋳型内に射出して、次に冷凍することができる。装置はまた、列又は封入物品、例えば光電池、刻印された物品、例えばＣＤ及びＤＶＤ（未加工及び媒体への情報の刻印を含む）、ＬＣＤデバイス用スクリーン、屋根瓦、ガスケット等を製造するために使用してもよい。カップのような３次元の深さの形状は、材料内に真空成形することができ、材料は成形されたキャビティに導入され、次にキャビティ及び材料が封止される（例えば容器に封止された食物）。
【０２４３】
さらに他の実施形態では、図２１に示したような共通の下方成形工具セットで動作する１つ以上の成形工具セットがあってもよく、ピックアンドプレース（ｐｉｃｋ  ａｎｄ  ｐｌａｃｅ）等のような操作は各々の成形工具セットの間で行われる。代わりに、複数の別個のセットの成形工具装置があってもよく、処理は、中間で行われる（例えば追加の成形等）。ドラム２６０が、周りに包まれた１セットの成形工具３を有する別の実施形態が示されており、成形面をドラム２６０の成形工具に提供する。工具セット３は、リードインゾーン２６と、加圧成形ゾーン２７と、選択的にリードアウトゾーン３０とを有する。
【０２４４】
別の実施形態では、成形工具セットの１つは、図２１（ｊ）に示したような成形工具の実質的に平坦な搬送システムである。上方成形工具セット（３）は通常の回路であり、一方、下方成形工具セット（４）は成形工具（１１）の平面アレーである。下方成形工具セット（４）のこの一般的な移動は、水平面の再循環であり、一方、上方成形工具セットは垂直面の再循環である。上方成形工具セット（３）の横断方向軸線１３は水平であり、一方、第２の横断方向軸線（１４）、すなわち、下方成形工具セットの横断方向軸線は垂直である。１つのみリードインゾーン２６が上方成形工具セットに示されているが、下方成形工具セット（４）はまた、リードインゾーン、選択的にリードアウトゾーンを有してもよいことを理解すべきである。他の実施形態では、リードインゾーンは、下方成形工具セット（４）の上にあってもよい。
【０２４５】
別の実施形態において、成形工具セットの両方は、図２１（ｉ）に示したような実質的に平坦な平行の搬送システムを形成する。両方の成形工具セットは、互いに実質的に平行の面を中心に再循環する（この場合、水平）。図示したように、上方成形工具（３）のみが、リードインゾーン及びリードアウトゾーン（任意）を有するが、下方成形工具セット（４）が同様にリードインゾーン、選択的にリードアウトゾーンでもよいことを理解すべきである。代わりに、下方成形工具セット（４）は、リードインゾーンのみ、選択的にリードアウトゾーンを有してもよい。
【０２４６】
本発明の前述の説明は、その好ましい形態を含む。本発明の範囲から逸脱することなく、鋳型発明に対する修正を行うことが可能である。
【図面の簡単な説明】
【０２４７】
【図１】上方ブロック回路と下方ブロック回路との間の成形面、表面又はキャビティを形成する当該回路を含む本発明の成形装置の側面図である。
【図２Ａ】ブロック整列ゾーン、リードインゾーン、加圧成形ゾーン及びリードアウトゾーンと共に、特に上方回路及びブロックの移動を示した図１の連続成形システムの概略図である。
【図２Ｂ】装置の両端及び両方の回路にリードインゾーン及びリードアウトゾーンを有する同様の概略図である。
【図３】図３ａは、従来技術の配置を含む移動の詳細図であり、鋳型、又はボルスタ、又は工具は回転して、ニップ箇所Ａを生成する。図３ｂは、ブロック整列ゾーン（ブロックＥ）で適所に回転するブロックセットの移動の図面であり、その後、リードインゾーン（ブロックＤ、Ｃ、Ｂ）は機械方向に対し直角に下方に垂直に移動し、このように、成形されるべき材料に鋳型が出会う決定的な箇所で、隣接する鋳型又は工具の間にギャップはなく、次に加圧成形ゾーン内に進み、ブロック群も機械方向に移動する。図３ｃは、主加圧成形ゾーンの前の多数の加圧成形ゾーンを有する多数のリードインゾーンの図面である。
【図４】ブロックの協働する上方鋳型と下方鋳型との間の加圧成形キャビティと共に、当該上方鋳型及び下方鋳型の詳細図、及び工具の別個の形状の図面である。
【図５ａ】上方及び下方のトラックのブロック（ボルスタ及び／又は個々の鋳型に関わらず）の移動を示したリードインゾーン（逆の機械方向でリードアウトゾーンを形成する）の１セットの概略詳細図であり、他方の成形面に向かう傾斜図である。
【図５ｂ】上方及び下方のトラックのブロック（ボルスタ及び／又は個々の鋳型に関わらず）の移動を示したリードインゾーン（逆の機械方向でリードアウトゾーンを形成する）の１セットの概略詳細図であり、一般的なシグモイド曲線図である。
【図５ｃ】上方及び下方のトラックのブロック（ボルスタ及び／又は個々の鋳型に関わらず）の移動を示したリードインゾーン（逆の機械方向でリードアウトゾーンを形成する）の１セットの概略詳細図であり、ブロックの異なる高さの前方ランナ及び後部ランナと共に任意の形状にブロックで従うことができることを示している一般的な曲線図である。
【図６】ブロックが動くことができる典型的なガイドトラックの側面図である。図６（ａ）は、内部立面図のガイドトラックを有する左側の頂部トラックフレームの図面である。図６（ｂ）は、側面立面図である。図６（ｃ）は、対応する線ＡＡとＢＢの右側頂部トラックフレーム及び部分ＡＡとＢＢの内部立面図である。図６（ｄ）は、ガイドトラックフレームの内部等角図である。
【図７】上方回路のガイドトラックを有する左右のトラックフレームを示した図面であり、ブロック整列領域、加圧成形ゾーンへのリードイン領域、及びリードアウト領域を示している。
【図８】再びブロック取り出し箇所を示した上方回路の左右トラックフレームの内部図である。
【図９】図５の線ＢＢに沿った左側のトラックフレームの詳細図である。
【図１０】上方回路の右側トラックフレームの内部の詳細図であり、詳細にブロック整列ゾーン及び機械方向に対するリードインゾーンの高さの変化を示している。
【図１１】前方ランナ用の上方ガイドトラック及びブロックの後部ランナ用の下方ガイドトラックの高さの差を示した図９の細部Ａの詳細図である。
【図１２】左側トラックフレームを取り除いた上方回路の図面であり、１セットのブロック（取り付けられた鋳型を含む）の移動、特にブロックが整列ゾーンに入るときのブロックの移動、リードインゾーンの下向き運動、次に加圧成形ゾーンの移動を示している。
【図１３】図１３（ａ）は、下方回路のトラックフレーム及びガイドトラック用であるということ以外、図６（ａ）と同様の図面である。図１３（ｂ）は、下方回路のトラックフレーム及びガイドトラック用であるということ以外、図６（ｂ）と同様の図面である。図１３（ｃ）は、下方回路のトラックフレーム及びガイドトラック用であるということ以外、図６（ｃ）と同様の図面である。図１３（ｄ）は、下方回路のトラックフレーム及びガイドトラック用であるということ以外、図６（ｄ）と同様の図面である。
【図１４】好ましい一実施形態の下方回路（左側下方トラックフレームは取り除かれている）の図面であり、この場合、ブロックが中に入って、標準的に成形面（例えば図３ａの従来技術に示した成形面）を形成し、リードインゾーンはない。
【図１５】側面の硬化した受け板及び面取りしたボルスタ及び鋳型を有するブロックの側面図である。
【図１６】図１６（ａ）は、前部ランナよりも広く離間した後部ランナを有するブロックの分割端面図である。図１６（ｂ）は、整列された前方及び後部ランナを有するブロックの側面図である。図１６（ｃ）は、後部ランナよりも高い前部ランナの図面である。図１６（ｄ）は、後部ランナよりも低い前部ランナの図面である。
【図１７】図１７（ａ）は、ガイドトラックで走るブロックの端部正面図である。図１７（ｂ）は、同一のブロックの平面図である。図１７（ｃ）は、同一のブロックの端部正面図である。
【図１８】受け板の様々な図面である。
【図１９】図１９（ａ）は、鋳型ブロックを取り付けることができるボルスタの等角図であり、３つのすべての方向の力の移行を可能にする互いの機械的係合をなお保持しつつ、互いの熱膨張を可能にする鋳型とボルスタとの間に存在するキーシステムを示している。図１９（ｂ）は、搬送工具及び表面工具のキーゾーンの水平断面図であり、平行及び垂直の方向の膨張のキーイング及び許容量（ｋｅｙｉｎｇ  ａｎｄ  ａｌｌｏｗａｎｃｅ）を示している。図１９（ｃ）は、搬送工具及び表面工具の側面図である。
【図２０】リードインゾーン及び加圧成形ゾーンの詳細側面図であり、成形されるべき材料の適用（例えば、押出又はこの場合はスプレ押出によって）、及びリードアウトゾーンを示している。
【図２１】図２１（Ａ）は、本発明の端部形状の等しくない長さの単一の上方及び下方の鋳型セットの概略図である。図２１（Ｂ）は、本発明の端部形状の等しい長さの単一の上方及び下方の鋳型セットの概略図である。図２１（Ｃ）は、本発明の端部形状の多数の上方鋳型セット及び単一の下方鋳型セットの概略図である。図２１（Ｄ）は、第２及び第３の工程による多数の成形装置の図面である。図２１（Ｅ）は、中間の処理による多数の上方鋳型セットの図面である。図２１（Ｆ）は、連続的な上方鋳型セット及び多数の下方鋳型セットがある逆形状の図面である。図２１（Ｇ）は、３つの成形工具セットの積み重ねの図面である。図２１（Ｈ）は、別の実施形態の図面であり、１セットの成形工具がなくとも部分的に円形の成形面（例えばドラム）の周りに巻かれ、成形工具はドラムの表面と相互作用するための対向面を生成し、成形工具セットは少なくともリードインゾーンを有し、選択的に以前に記載したようなリードインゾーンを有する。図２１（Ｉ）は、装置の別の実施形態の図面であり、上方及び下方の成形工具セットが実質的に平坦な略水平の回路を形成する。図２１（Ｊ）は、別の実施形態の図面であり、上方成形工具セットは以前の説明に従い、下方成形工具セットは成形工具の実質的に平坦な搬送又はトラックである。
【図２２】図２２（ａ）は、スレーブ鋳型セットの駆動装置をマスタ鋳型セットの駆動装置に整合させるための制御システムの概略図であり、マスタ及びスレーブブロックについて行われる比較を示し、また鋳型非同時性及びマッチ箇所を示している。図２２（ｂ）は、スレーブ鋳型セットの駆動装置をマスタ鋳型セットの駆動装置に整合させるための制御システムの概略図であり、マスタ及びスレーブブロックについて行われる比較を示し、また鋳型非同時性及びマッチ箇所を示している。
【図２３】図１と同様の側面図であり、位置にある圧力プレート及び鋳型、工具、又は工具が装着され、成形ゾーンに位置する鋳型のいずれかの側面の圧力プレートを支承するボルスタを示している。
【図２４】図２４（ａ）は、圧力プレートの平面図である。図２４（ｂ）は、圧力プレートの側面図である。図２４（ｃ）は、圧力プレートの端部正面図である。図２４（ｄ）は、頂部及び底部圧力プレートの間に挟まれる協働する成形工具の詳細側面図であり、成形工具のフォロワがガイドトラックから離れて着座しているかが示されている。
【図２５】リードインゾーンにおけるいくつかの連続した鋳型又は１セット（この例では上方のセット）のブロック、及びその相互ロックの図面である。そして
【図２６】図２６（ａ）は、協働する鋳型が共にロックされる図２４と同様の図面である。図２６（ｂ）は、協働する鋳型がモールステーパと共にロックされる図面である。図２６（ｃ）は、連続した鋳型がモールステーパと共にロックされる図面である。
【図１】
2009525889.tif 000003
【図２Ａ】
2009525889.tif 000004
【図２Ｂ】
2009525889.tif 000005
【図３】
2009525889.tif 000006
【図４】
2009525889.tif 000007
【図５ａ】
2009525889.tif 000008
【図５ｂ】
2009525889.tif 000009
【図５ｃ】
2009525889.tif 000010
【図６】
2009525889.tif 000011
【図７】
2009525889.tif 000012
【図８】
2009525889.tif 000013
【図９】
2009525889.tif 000014
【図１０】
2009525889.tif 000015
【図１１】
2009525889.tif 000016
【図１２】
2009525889.tif 000017
【図１３】
2009525889.tif 000018
【図１４】
2009525889.tif 000019
【図１５】
2009525889.tif 000020
【図１６】
2009525889.tif 000021
【図１７】
2009525889.tif 000022
【図１８】
2009525889.tif 000023
【図１９−１】
2009525889.tif 000024
【図１９−２】
2009525889.tif 000025
【図２０】
2009525889.tif 000026
【図２１】
2009525889.tif 000027
【図２１（ｈ）】
2009525889.tif 000028
【図２１（ｉ）】
2009525889.tif 000029
【図２１（ｊ）】
2009525889.tif 000030
【図２２】
2009525889.tif 000031
【図２３】
2009525889.tif 000032
【図２４−１】
2009525889.tif 000033
【図２４−２】
2009525889.tif 000034
【図２５】
2009525889.tif 000035
【図２６】
2009525889.tif 000036
【手続補正書】
【提出日】平成20年7月17日(2008.7.17)
【手続補正１】
【補正対象書類名】特許請求の範囲
【補正対象項目名】全文
【補正方法】変更
【補正の内容】
【特許請求の範囲】
【請求項１】
成形可能な１つ又は複数の材料（「複数の材料）」）を成形するための成形装置であって、
第１の鋳型セット又は成形工具（「第１の成形工具セット」）と、
第２の鋳型セット又は成形工具（「第２の成形工具セット」）であって、前記第２の成形工具セットの各々の鋳型又は工具（「成形工具」）が、加圧成形ゾーンで協働する成形工具を成形するために、前記第１の成形工具セットの１つ以上の鋳型又は工具（「成形工具」）と協働するように構成され、又はその逆である第２の鋳型セット又は成形工具と、
第１の成形工具セットの１つ又は複数のガイド（「第１の１つ又は複数のガイド」）であって、該ガイドを中心に、前記第１の成形工具セットが第１の回路を中心に移動されることができる第１の成形工具セットの１つ又は複数のガイドと、
第２の成形工具セットの１つ又は複数のガイド（「第２の１つ又は複数のガイド」）であって、該ガイドを中心に、前記第２の成形工具セットが第２の回路を中心に移動されることができる第２の成形工具セットの１つ又は複数のガイドと、
前記１つ又は複数のガイドを中心に前記成形工具セットの前記成形工具を機械方向に順次前進して移動させるための少なくとも１つの一次駆動装置（「第１の駆動装置」）と、を備えるか又は含み、
少なくとも前記回路の部分で、前記加圧成形ゾーンの直前又は直後（以下「リードゾーン」）で、前記隣接する成形工具の相対運動のみが前記成形工具が協働する前記他方の成形工具セットの成形工具に向かうか又は前記成形工具から離れる（以下、前記「運動」）ように、１つの前記成形工具セットの隣接する成形工具が移動可能に支持される、成形装置。
【請求項２】
前記成形工具が前記機械方向に前進させられる前記加圧成形ゾーンにわたって、各々又は同一のセットの１つ以上について、協働する及び／又は隣接する成形工具と一定の参照関係がある、請求項１に記載の成形装置。
【請求項３】
前記リードゾーンの前記成形工具が、（成形工具から成形工具のギャップが前記材料を捕捉する可能性なしに）互いに対しさもなければ整列された条件で段階的に進むか又は後退する、請求項１又は２に記載の成形装置。
【請求項４】
必要な整列及び前記運動を提供するために直交成分の移動がある可能性にも関わらず、前記リードゾーンで、別個の前記成形工具のすべてがその近傍と同一の速度成分で移動している、請求項１〜３のいずれか１項に記載の成形装置。
【請求項５】
前記運動が、前記機械方向に対し、前記加圧成形ゾーン（「リードインゾーン」）の前に行われる、請求項１〜４のいずれか１項に記載の成形装置。
【請求項６】
前記運動が、前記機械方向に対し、前記加圧成形ゾーン（「リードアウトゾーン」）の後に行われる、請求項１〜４のいずれか１項に記載の成形装置。
【請求項７】
前記成形工具セットの少なくとも１つのために、温度制御システムが提供される、請求項１〜６のいずれか１項に記載の成形装置。
【請求項８】
前記成形工具の各々が、前記機械方向に対し横断方向の２つの軸線（「支持軸線」）に支持され、この結果、前記リードゾーンで、前記支持軸線の一方が他方の軸線と異なる前記ガイドの軌跡に従い、これによって、前記リードゾーンの隣接する成形工具が前記機械方向に対し同一の配向に保持されるか又は保持されないことを可能にする、請求項１〜７のいずれか１項に記載の成形装置。
【請求項９】
前記支持軸線が、回転軸線又はガイド旋回軸線を介して前記ガイドのトラックを動く、請求項８に記載の成形装置。
【請求項１０】
各々の前記成形工具セット用に少なくとも２つのガイドがある、請求項１〜９のいずれか１項に記載の成形装置。
【請求項１１】
前記少なくとも２つのガイドの各々１つが、前記成形工具セットの前記成形工具のいずれかの側面に配置される、請求項１０に記載の成形装置。
【請求項１２】
前記成形工具セット及び前記成形工具セットのガイドの少なくとも一方が、前記加圧成形ゾーンの前記成形工具及び成形面の「開放」又は「閉鎖」を行って前記加圧成形ゾーンの圧力を少なくとも変更するように、他方の成形工具セット及び他方の成形工具セットのガイドに対し移動されることができる（例えば、前記ガイドを支持するフレームの間の空気圧又は油圧システムの作用下で）、請求項１〜１１のいずれか１項に記載の成形装置。
【請求項１３】
前記ガイドが互いに位置ロックできる、請求項１〜１２のいずれか１項に記載の成形装置。
【請求項１４】
前記工具回路が不完全であり、このため、同一又は他の成形工具がそれぞれ前記リードインゾーンに入る前にあるかどうかに関わらず、前記成形工具が前記リードアウトゾーンを出て置き換えられるとき、前記成形工具を取り除いて置き換えることができる、請求項１〜１３のいずれか１項に記載の成形装置。
【請求項１５】
前記成形工具が、隣接する成形工具によって前記リードゾーンにわたって付勢されることができ（前記機械方向に対し）、前記成形工具の１つ又は複数のガイドとの前記成形工具の関連付け以外によって、前記隣接する成形工具に連結されない、請求項１〜１４のいずれか１項に記載の成形装置。
【請求項１６】
前記ガイドの各々が、少なくとも前記リードゾーンに２つのトラックを有し、各々の前記成形工具の前記支持軸線の１つが前記２つのトラックの一方に従い、一方、前記支持軸線の他方が前記２つのトラックの他方に従う、請求項９〜１５のいずれか１項に記載の成形装置。
【請求項１７】
前記第１の一次駆動装置が、前記１つ又は複数の第１のガイドを中心に前記第１の成形工具セットの前記成形工具を順次前進して移動させる、請求項１〜１６のいずれか１項に記載の成形装置。
【請求項１８】
前記１つ又は複数の第２のガイドを中心に前記第２の成形工具セットの前記成形工具を順次前進して移動させるための第２の前記一次駆動装置がある、請求項１〜１７のいずれか１項に記載の成形装置。
【請求項１９】
前記成形工具が、前記少なくとも１つの一次駆動装置によって新たに提示された各々の成形工具の順次係合によって前進させられ、次に、前記加圧成形ゾーンを通してかつ前記ガイドを中心に、蓄積された前記成形工具を付勢する、請求項１〜１８のいずれか１項に記載の成形装置。
【請求項２０】
例えば前記ガイドと前記成形工具との間の摩擦を克服する際に、前記一次駆動装置を補助するための少なくとも１つの二次駆動装置がある、請求項１〜１９のいずれか１項に記載の成形装置。
【請求項２１】
前記少なくとも１つの二次駆動装置が、前記ガイドを介して成形工具を前記一次駆動装置に送る、請求項２０に記載の成形装置。
【請求項２２】
前記回路の前記成形工具の全長が、前記成形工具の熱膨張を収容するために、合計の回路長さに等しいか又は小さい、請求項１〜２１のいずれか１項に記載の成形装置。
【請求項２３】
前記成形工具が、前記ガイド内又は上で動作する少なくとも１つの搬送工具と、前記対向面の少なくとも１つを提供するための少なくとも１つの表面工具との複合工具であり、前記表面工具が、前記表面工具によって支承されるべき前記搬送工具に又は前記搬送工具から装着される、請求項１〜２２のいずれか１項に記載の成形装置。
【請求項２４】
前記搬送工具への又は前記搬送工具からの前記表面工具の前記装着部が、前記表面工具が前記搬送工具に対し又はその逆に熱膨張することを可能にする装着部である、請求項２３に記載の成形装置。
【請求項２５】
前記成形工具のすべてが同一の熱膨張特性を有する、請求項１〜２４のいずれか１項に記載の成形装置。
【請求項２６】
一方のセットの成形工具が前記加圧成形ゾーンにわたって他方のセットの成形工具の上に下方に又は該他方のセットの成形工具に向かって進むように、前記第１及び第２の成形工具セット（「１つ又は複数の工具」）が平面で協働するように、前記装置が配置される、請求項１〜２５のいずれか１項に記載の成形装置。
【請求項２７】
前記加圧成形ゾーンの前記成形工具を支承して、前記１つ又は複数の成形工具によって前記１つ又は複数の材料に印加される圧力を増大するために、別の前記ガイドが前記加圧成形ゾーンの一方の側面の少なくとも１つの圧力プレートとして存在する、請求項１〜２６のいずれか１項に記載の成形装置。
【請求項２８】
２つの前記圧力プレート、すなわち、前記成形工具セットの一方に作用する前記加圧成形ゾーンの上方の第１の圧力プレート、及び前記成形工具セットの他方に作用する前記加圧成形ゾーンの下方の第２の圧力プレートがある、請求項２７に記載の成形装置。
【請求項２９】
前記セットの隣接する及び／又は協働する成形工具が、少なくとも前記加圧成形ゾーンにわたってロック手段によって互いにロックされる、請求項１〜２８のいずれか１項に記載の成形装置。
【請求項３０】
（例えば射出成形等に関し）前記第１及び第２の成形工具セット（「１つ又は複数の工具」）が、水平又は垂直に対し考慮したときに前記セットが並んでいる加圧成形ゾーンにわたって互いにそれぞれのセットの成形工具を提示するようなものである、請求項１〜２９のいずれか１項に記載の成形装置。
【国際調査報告】
2009525889.tif 000037
2009525889.tif 000038